(57)【要約】  無線通信システムにおいて、端末の動作方法が提供され、該動作方法は、基地局から、上位シグナリングを介して、副搬送波間隔設定及び循環前置情報を受信する段階と、設定された副搬送波間隔が６０ｋＨｚであり、循環前置情報が拡張循環前置を示す場合、普通循環前置のスロットフォーマットを基に、拡張循環前置のスロットフォーマットを決定する段階と、を含む。
2021507592.tif 000002
【特許請求の範囲】
【請求項１】
無線通信システムにおいて、端末の動作方法において、
基地局から、上位シグナリングを介して、副搬送波間隔設定及び循環前置情報を受信する段階と、
前記設定された副搬送波間隔が６０ｋＨｚであり、前記循環前置情報が拡張循環前置を示す場合、普通循環前置のスロットフォーマットを基に、前記拡張循環前置のスロットフォーマットを決定する段階と、を含む方法。
【請求項２】
前記スロットフォーマットを決定する段階は、
副搬送波間隔が１５ｋＨｚ、３０ｋＨｚまたは６０ｋＨｚであり、普通循環前置である場合のスロットフォーマットを基に、前記拡張循環前置によるスロットフォーマットを決定する段階を含む請求項１に記載の方法。
【請求項３】
前記スロットフォーマットを決定する段階は、
前記拡張循環前置のスロットフォーマットによるシンボルと重なる前記普通循環前置のスロットフォーマットによるシンボルが、いずれも下向きリンクシンボル、いずれも上向きリンクシンボル、またはいずれも柔軟なリンクシンボルである場合、前記拡張循環前置のスロットフォーマットによるシンボルを、下向きリンクシンボル、上向きリンクシンボル、または柔軟なリンクシンボルと判断する段階を含む請求項１に記載の方法。
【請求項４】
前記スロットフォーマットを決定する段階は、
前記拡張循環前置のスロットフォーマットによるシンボルと重なる前記普通循環前置のスロットフォーマットによるシンボルのうち少なくとも一つが柔軟なリンクシンボルである場合、前記拡張循環前置のスロットフォーマットによるシンボルを柔軟なリンクシンボルと判断する段階を含む請求項１に記載の方法。
【請求項５】
前記スロットフォーマットを決定する段階は、
前記拡張循環前置のスロットフォーマットによるシンボルと重なる前記普通循環前置のスロットフォーマットによるシンボルのうち少なくとも一つが下向きリンクシンボルであり、少なくとも他の一つが上向きリンクシンボルである場合、前記拡張循環前置のスロットフォーマットによるシンボルを柔軟なリンクシンボルと判断する段階を含む請求項１に記載の方法。
【請求項６】
無線通信システムにおいて、端末の動作方法において、
基地局から、上位シグナリングを介して、基準副搬送波間隔設定及び循環前置情報を受信する段階と、
前記循環前置情報が普通循環前置を示し、前記設定された基準副搬送波間隔と異なる副搬送波間隔を基にするスロットフォーマット指示子を受信する場合、連続した２ｎ個のスロット内において、それぞれ連続した２ｎ個のシンボル別に、前記スロットフォーマット指示子を基にするリンク情報がマッピングされるように、スロットフォーマットを決定する段階を含む方法。
【請求項７】
前記ｎは、
前記基準副搬送波間隔の設定値と、前記他の副搬送波間隔の設定値との差を示し、自然数である請求項６に記載の方法。
【請求項８】
前記スロットフォーマットを決定する段階は、
前記スロットフォーマット指示子が指示するリンク情報が下向きリンクシンボル、上向きリンクシンボル、または柔軟なリンクシンボルである場合、前記それぞれ連続した２ｎ個のシンボルを、下向きリンクシンボル、上向きリンクシンボル、または柔軟なリンクシンボルと判断する段階を含む請求項６に記載の方法。
【請求項９】
前記スロットフォーマットを決定する段階は、
前記それぞれ連続した２ｎ個のシンボルは、各シンボルが、前記スロットフォーマット指示子を基にし、時間的に属するシンボルインデックスのリンク情報がマッピングされることにより、スロットフォーマットを決定する段階を含む請求項６に記載の方法。
【請求項１０】
無線通信システムで動作する端末において、
送受信部と、
プログラムを保存する少なくとも１以上のメモリと、
前記プログラムを実行することにより、基地局から、上位シグナリングを介して、副搬送波間隔設定及び循環前置情報を受信し、前記設定された副搬送波間隔が６０ｋＨｚであり、前記循環前置情報が拡張循環前置を示す場合、普通循環前置のスロットフォーマットを基に、前記拡張循環前置のスロットフォーマットを決定する少なくとも１以上のプロセッサと、を含む端末。
【請求項１１】
前記少なくとも１以上のプロセッサは、
副搬送波間隔が１５ｋＨｚ、３０ｋＨｚまたは６０ｋＨｚであり、普通循環前置である場合のスロットフォーマットを基に、前記拡張循環前置によるスロットフォーマットを決定する請求項１０に記載の端末。
【請求項１２】
前記少なくとも１以上のプロセッサは、
前記拡張循環前置のスロットフォーマットによるシンボルと重なる前記普通循環前置のスロットフォーマットによるシンボルが、いずれも下向きリンクシンボル、いずれも上向きリンクシンボル、またはいずれも柔軟なリンクシンボルである場合、前記拡張循環前置のスロットフォーマットによるシンボルを、下向きリンクシンボル、上向きリンクシンボル、または柔軟なリンクシンボルと判断する請求項１０に記載の端末。
【請求項１３】
前記少なくとも１以上のプロセッサは、
前記拡張循環前置のスロットフォーマットによるシンボルと重なる前記普通循環前置のスロットフォーマットによるシンボルのうち少なくとも一つが柔軟なリンクシンボルである場合、前記拡張循環前置のスロットフォーマットによるシンボルを柔軟なリンクシンボルと判断する請求項１０に記載の端末。
【請求項１４】
前記少なくとも１以上のプロセッサは、
前記拡張循環前置のスロットフォーマットによるシンボルと重なる前記普通循環前置のスロットフォーマットによるシンボルのうち少なくとも一つが下向きリンクシンボルであり、少なくとも他の一つが上向きリンクシンボルである場合、前記拡張循環前置のスロットフォーマットによるシンボルを柔軟なリンクシンボルと判断する請求項１０に記載の端末。
【請求項１５】
無線通信システムで動作する端末において、
送受信部と、
プログラムを保存する少なくとも１以上のメモリと、
基地局から、上位シグナリングを介して、基準副搬送波間隔設定及び循環前置情報を受信し、前記循環前置情報が普通循環前置を示し、前記設定された基準副搬送波間隔と異なる副搬送波間隔を基にするスロットフォーマット指示子を受信する場合、連続した２ｎ個のスロット内において、それぞれ連続した２ｎ個のシンボル別に、前記スロットフォーマット指示子を基にするリンク情報がマッピングされるように、スロットフォーマットを決定する少なくとも１以上のプロセッサと、を含む端末。
【発明の詳細な説明】
【技術分野】
【０００１】
本発明は、無線通信システムにおける制御情報、並びにデータ情報送受信方法及びその装置に関する。
【背景技術】
【０００２】
４Ｇ通信システム商用化後、増勢にある無線データトラフィック需要を充足させるために、改善された５Ｇ通信システムまたはｐｒｅ−５Ｇ通信システムを開発するための努力がなされている。そのような理由により、５Ｇ通信システムまたはｐｒｅ−５Ｇ通信システムは、４Ｇネットワーク後（Beyond ４Ｇ network）通信システムまたはＬＴＥ（long-term evolution）システム後（Post ＬＴＥ）システムと呼ばれている。高いデータ伝送率を達成するために、５Ｇ通信システムは、超高周波（ｍｍWave）帯域（例：６０ギガ（６０ＧＨｚ）帯域）での具現が考慮されている。超高周波帯域での電波の経路損失緩和,及び電波の伝達距離を延長させるために、５Ｇ通信システムにおいては、ビームフォーミング（beam forming）、巨大配列多重入出力（massive ＭＩＭＯ）、全次元多重入出力（ＦＤ−ＭＩＭＯ：full dimensional ＭＩＭＯ）、アレイアンテナ（array antenna）、アナログビーム形成（analog beam-forming）及び大規模アンテナ（large scale antenna）の技術が論議されている。また、システムのネットワーク改善のために、５Ｇ通信システムにおいては、進化された小型セル、改善された小型セル（advanced small cell）、クラウド無線アクセスネットワーク（cloud ＲＡＮ：cloud radio access network）、超高密度ネットワーク（ultra-dense network）、機器間通信（Ｄ２Ｄ：device to device communication）、無線バックホール（wireless backhaul）、移動ネットワーク（moving network）、協力通信（cooperative communication）、ＣｏＭＰ（coordinated multi-points）及び受信干渉除去（interference cancellation）のような技術開発がなされている。それ以外にも、５Ｇシステムにおいては、進歩したコーディング変調（ＡＣＭ：advanced coding modulation）方式であるＦＱＡＭ（hybrid ＦＳＫ（frequency-shift keying） and ＱＡＭ（quadrature amplitude modulation）及びＳＷＳＣ（sliding window superposition coding）や、進歩した接続技術であるＦＢＭＣ（filter bank multi carrier）、ＮＯＭＡ（non-orthogonal multiple access）及びＳＣＭＡ（sparse code multiple access）などが開発されている。
【０００３】
一方、インターネットは、人間が情報を生成して消費する人間中心の連結網において、事物のような、分散された構成要素間において情報をやり取りして処理する事物インターネット（ＩｏＴ：internet of things）網に進化している。クラウドサーバなどとの連結を介したビックデータ（big data）処理技術などがＩｏＴ技術に結合されたＩｏＥ（internet of everything）技術も新たに提供されている。ＩｏＴを具現するために、センシング技術、有無線通信及びネットワークインフラ、サービスインターフェース技術、並びに保安技術のような技術要素が要求され、最近では、事物間連結のためのセンサネットワーク（sensor network）、事物通信（Ｍ２Ｍ：machine to machine）、ＭＴＣ（machine type communication）のような技術が研究されている。ＩｏＴ環境においては、連結された事物で生成されたデータを収集して分析し、人間の生に新たな価値を新たに創出する知能型ＩＴ（internet technology）サービスが提供されもする。ＩｏＴは、既存のＩＴ（information technology）技術と、多様な産業との融合及び複合を介し、スマートホーム、スマートビルディング、スマートシティ、スマートカーあるいはコネクティッドカー、スマートグリッド、ヘルスケア、スマート家電、先端医療サービスなどの分野にも応用される。
【０００４】
そのために、５Ｇ通信システムをＩｏＴ網に適用するための多様な試みがなされている。例えば、センサネットワーク、事物通信（Ｍ２Ｍ）、ＭＴＣのような技術が５Ｇ通信技術であるビームフォーミング、ＭＩＭＯ及びアレイアンテナなどの技法によって具現されているのである。前述のビックデータ処理技術として、クラウド無線アクセスネットワーク（cloud ＲＡＮ）の適用も、５Ｇ技術とＩｏＴ技術との融合の一例とも言えるのである。
【０００５】
前述のように、コードレス通信システムの発展により、多様なサービスを提供することができるようになることにより、そのようなサービスを効果的に提供するための方案が要求されている。
【０００６】
前述の情報は、開示の理解の一助とするためにのみ、背景情報としてのみ提示されている。前述のところのいずれかが、本開示に係わる先行技術として適用可能であるか否かということについて、決定はなされておらず、主張もなされていない。
【発明の概要】
【課題を解決するための手段】
【０００７】
本開示の一実施形態による無線通信システムにおいて、端末の動作方法が提供される。そのような動作方法は、基地局から、上位シグナリングを介し、副搬送波間隔設定及び循環前置情報を受信する段階と、前記設定された副搬送波間隔が６０ｋＨｚであり、前記循環前置情報が拡張循環前置を示す場合、普通循環前置のスロットフォーマットを基に、前記拡張循環前置のスロットフォーマットを決定する段階と、を含む。
【発明の効果】
【０００８】
本開示の一実施形態によれば、無線通信システムにおいて、サービスを効果的に提供するための方法及びその装置を提供することができる。
【図面の簡単な説明】
【０００９】
本開示の特定の実施形態の前述のところ、並びに他の態様、特徴及び利点は、添付図面と共に、以下の説明からさらに明らかになるであろう。
【図１】ＬＴＥ、ＬＴＥ−Ａ、またはそれらと類似したシステムの下向きリンク無線資源領域である時間・周波数領域の伝送構造を示した図面である。
【図２】ＬＴＥ、ＬＴＥ−Ａ、またはそれらと類似したシステムの上向きリンク無線資源領域である時間・周波数領域の伝送構造を示した図面である。
【図３】一実施形態による、循環前置の伝送単位構造を図示するブロック図である。
【図４】一実施形態による、端末のスロットフォーマット指示子情報受信基盤の制御情報及びデータ情報を送受信する方法を示したフローチャートである。
【図５】一実施形態による、端末の循環前置情報によるスロットフォーマット指示子受信方法を図示するフローチャートである。
【図６】一実施形態による、下向き制御情報、及び上向きまたは下向きのデータ情報資源割り当てを示す図面である。
【図７】一実施形態による、循環前置情報基盤端末の下向きリンクまたは上向きリンクのデータ時間資源領域解釈方法を図示するフローチャートである。
【図８】一実施形態による、他の副搬送波間隔設定によるスロットフォーマット指示子適用方法を示した図面である。
【図９】一実施形態による、普通循環前置状況において、多様な副搬送波間隔による１ｍｓ長を有するサブフレームごとにマッピングされるＯＦＤＭシンボル構造を示した図面である。
【図１０】他の一実施形態による循環前置情報基盤端末の下向きリンクまたは上向きリンクのデータ時間資源領域解釈方法を図示するフローチャートである。
【図１１】一実施形態による、端末の内部構成を示すブロック図である。
【図１２】一実施形態による、基地局の内部構成を示すブロック図である。
【発明を実施するための形態】
【００１０】
本開示の態様は、少なくとも前述の問題及び／または不都合に対処し、少なくとも以下に記載される利点を提供することである。従って、本開示の一態様は、無線通信システムにおいて、サービスを効果的に提供するための方法及びその装置を提供することである。
追加の態様は、一部は、以下の説明に示され、一部は、説明から明らかであるか、あるいは提示された実施形態の実施によって知ることができる。
【００１１】
本開示の一実施形態による、無線通信システムにおいて、端末の動作方法が提供される。そのような動作方法は、基地局から、上位シグナリングを介して、副搬送波間隔設定及び循環前置情報を受信する段階と、前記設定された副搬送波間隔が６０ｋＨｚであり、前記循環前置情報が拡張循環前置を示す場合、普通循環前置のスロットフォーマットを基に、前記拡張循環前置のスロットフォーマットを決定する段階と、を含む。
【００１２】
本開示の一実施形態において、前記スロットフォーマットを決定する段階は、副搬送波間隔が１５ｋＨｚ、３０ｋＨｚまたは６０ｋＨｚであり、普通循環前置である場合のスロットフォーマットを基に、前記拡張循環前置によるスロットフォーマットを決定する段階を含んでもよい。
【００１３】
本開示の一実施形態において、前記スロットフォーマットを決定する段階は、前記拡張循環前置のスロットフォーマットによるシンボルと重なる前記普通循環前置のスロットフォーマットによるシンボルが、いずれも下向きリンクシンボル、いずれも上向きリンクシンボル、またはいずれも柔軟なリンクシンボルである場合、前記拡張循環前置のスロットフォーマットによるシンボルを、下向きリンクシンボル、上向きリンクシンボル、または柔軟なリンクシンボルと判断する段階を含んでもよい。
【００１４】
本開示の一実施形態において、前記スロットフォーマットを決定する段階は、前記拡張循環前置のスロットフォーマットによるシンボルと重なる前記普通循環前置のスロットフォーマットによるシンボルのうち少なくとも一つが柔軟なリンクシンボルである場合、前記拡張循環前置のスロットフォーマットによるシンボルを柔軟なリンクシンボルと判断する段階を含んでもよい。
【００１５】
本開示の一実施形態において、前記スロットフォーマットを決定する段階は、前記拡張循環前置のスロットフォーマットによるシンボルと重なる前記普通循環前置のスロットフォーマットによるシンボルのうち少なくとも一つが下向きリンクシンボルであり、少なくとも他の一つが上向きリンクシンボルである場合、前記拡張循環前置のスロットフォーマットによるシンボルを柔軟なリンクシンボルと判断する段階を含んでもよい。
【００１６】
本開示の一実施形態による無線通信システムにおいて、端末の動作方法が提供される。そのような動作方法は、基地局から、上位シグナリングを介して、基準副搬送波間隔設定及び循環前置情報を受信する段階と、前記循環前置情報が普通循環前置を示し、前記設定された基準副搬送波間隔と異なる副搬送波間隔を基にするスロットフォーマット指示子を受信する場合、連続的な２ｎ個のスロット内において、それぞれ連続した２ｎ個のシンボル別に、前記スロットフォーマット指示子を基にするリンク情報がマッピングされるように、スロットフォーマットを決定する段階を含む。
本開示の一実施形態において、前記ｎは、前記基準副搬送波間隔の設定値と、前記他の副搬送波間隔の設定値との差を示し、自然数でもある。
【００１７】
本開示の一実施形態において、前記スロットフォーマットを決定する段階は、前記スロットフォーマット指示子が指示するリンク情報が下向きリンクシンボル、上向きリンクシンボル、または柔軟なリンクシンボルである場合、前記それぞれ連続した２ｎ個のシンボルを、下向きリンクシンボル、上向きリンクシンボル、または柔軟なリンクシンボルと判断する段階を含んでもよい。
【００１８】
本開示の一実施形態において、前記それぞれ連続した２ｎ個のシンボルは、各シンボルが、前記スロットフォーマット指示子を基にして時間的に属するシンボルインデックスのリンク情報がマッピングされることにより、スロットフォーマットを決定する段階を含む。
【００１９】
本開示の一実施形態による無線通信システムにおいて、端末が提供される。そのような端末は、送受信部；プログラムを保存する少なくとも１以上のメモリ；並びに前記プログラムを実行することにより、基地局から、上位シグナリングを介して、副搬送波間隔設定及び循環前置情報を受信し、前記設定された副搬送波間隔が６０ｋＨｚであり、前記循環前置情報が拡張循環前置を示す場合、普通循環前置のスロットフォーマットを基に、前記拡張循環前置のスロットフォーマットを決定する少なくとも１以上のプロセッサを含む。
【００２０】
本開示の一実施形態において、前記少なくとも１以上のプロセッサは、副搬送波間隔が１５ｋＨｚ、３０ｋＨｚまたは６０ｋＨｚであり、普通循環前置である場合のスロットフォーマットを基に、前記拡張循環前置によるスロットフォーマットを決定することができる。
【００２１】
本開示の一実施形態において、前記少なくとも１以上のプロセッサは、前記拡張循環前置のスロットフォーマットによるシンボルと重なる前記普通循環前置のスロットフォーマットによるシンボルが、いずれも下向きリンクシンボル、いずれも上向きリンクシンボル、またはいずれも柔軟なリンクシンボルである場合、前記拡張循環前置のスロットフォーマットによるシンボルを、下向きリンクシンボル、上向きリンクシンボル、または柔軟なリンクシンボルと判断することができる。
【００２２】
本開示の一実施形態において、前記少なくとも１以上のプロセッサは、前記拡張循環前置のスロットフォーマットによるシンボルと重なる前記普通循環前置のスロットフォーマットによるシンボルのうち少なくとも一つが柔軟なリンクシンボルである場合、前記拡張循環前置のスロットフォーマットによるシンボルを柔軟なリンクシンボルと判断することができる。
【００２３】
本開示の一実施形態において、前記少なくとも１以上のプロセッサは、前記拡張循環前置のスロットフォーマットによるシンボルと重なる前記普通循環前置のスロットフォーマットによるシンボルのうち少なくとも一つが下向きリンクシンボルであり、少なくとも他の一つが上向きリンクシンボルである場合、前記拡張循環前置のスロットフォーマットによるシンボルを柔軟なリンクシンボルと判断することができる。
【００２４】
本開示の一実施形態による無線通信システムにおいて、端末が提供される。そのような端末は、送受信部；プログラムを保存する少なくとも１以上のメモリ；並びに基地局から、上位シグナリングを介して、基準副搬送波間隔設定及び循環前置情報を受信し、前記循環前置情報が普通循環前置を示し、前記設定された基準副搬送波間隔と異なる副搬送波間隔を基にするスロットフォーマット指示子を受信する場合、連続した２ｎ個のスロット内において、それぞれ連続した２ｎ個のシンボル別に、前記スロットフォーマット指示子を基にするリンク情報がマッピングされるように、スロットフォーマットを決定する少なくとも１以上のプロセッサを含む。
本開示の一実施形態において、前記ｎは、前記基準副搬送波間隔の設定値と、前記他の副搬送波間隔の設定値との差を示し、自然数でもある。
【００２５】
本開示の一実施形態において、前記少なくとも１つのプロセッサは、スロットフォーマット指示子によって示されるリンク情報が、ダウンリンクシンボル、アップリンクシンボル、または柔軟なシンボルである場合、２ｎ個の連続するシンボルのそれぞれを、ダウンリンクシンボル、アップリンクシンボルまたは柔軟なシンボルと決定するようにさらに構成される。
【００２６】
本開示の一実施形態において、前記それぞれ連続した２ｎ個のシンボルは、各シンボルが、前記スロットフォーマット指示子を基にして時間的に属するシンボルインデックスのリンク情報がマッピングされることにより、スロットフォーマットを決定する段階を含む。
本開示の他の態様、利点、及び顕著な特徴は、添付図面と共に、本開示のさまざまな実施形態を開示する以下の詳細な説明から、当業者に明白になるであろう。
【００２７】
添付図面を参照した以下の説明は、特許請求の範囲、及びそれらの均等物によって定義される本開示のさまざまな実施形態の包括的な理解の一助とするために提供される。それには、その理解の一助とするためのさまざまな具体的な詳細が含まれているが、それらは、単なる例示と見なされる。従って、当業者であるならば、本明細書に記載されたさまざまな実施形態のさまざまな変更及び修正が、本開示の範囲及び精神から逸脱することなしに実行されるということを認識するであろう。さらに、周知の機能と構造との説明は、明確さと簡潔さのためにも省略される。
【００２８】
以下の説明、及び特許請求の範囲で使用される用語及び単語は、書誌的意味に限定されず、開示の明確であって一貫された理解を可能にするために、発明者によって単に使用されるものである。従って、本開示のさまざまな実施形態の以下の説明は、例示の目的でのみ提供され、添付の特許請求の範囲、及びそれらの均等物によって定義される本開示を限定する目的ではないということは、当業者に明らかである。
【００２９】
単数形である「a」、「an」、及び「the」は、文脈が明確に他のことを指示しない限り、複数の指示対象を含むものであると理解されるものである。従って、例えば、「構成要素表面」という言及は、１または複数のそのような表面への言及を含む。
【００３０】
本実施形態について説明する一方、関連分野において周知であり、本開示に直接関連しない技術的内容は、提供されない。冗長な説明を省略することにより、開示の本質が不明瞭にならず、明確に説明されるのである。
【００３１】
同じ理由により、添付図面において、一部構成要素は、誇張されていたり、省略されていたり、概略的に図示されていたりする。また、各構成要素の大きさは、実際の大きさを全面的に反映するものではない。各図面において、同一であるか、あるいは対応する構成要素には、同一参照番号を付した。
【００３２】
本明細書で使用される場合、「および／または」という用語は、関連するリストされた項目の１または複数のいずれの組み合わせをも含む。要素のリストの前にある「少なくとも1つ」のような表現は、要素のリスト全体を変更し、リストの個々の要素を変更するものではない。
【００３３】
本開示の利点、特徴、そしてそれらを達成する方法は、添付図面と共に詳細に後述されている実施形態を参照すれば、明確になるであろう。しかし、本開示は、以下で開示される実施形態に限定されるものではなく、互いに異なる多様な形態によっても具現され、ただ、本実施形態は、本開示を完全なものにし、本開示が属する技術分野において当業者に、発明の範疇を完全に知らせるために提供されるものであり、本開示は、特許請求の範囲の範疇によって定義されるのみである。
【００３４】
ここで、処理フローチャートの各ブロックと、フローチャートとの組み合わせは、コンピュータプログラムインストラクションによって遂行されるということを理解することができるであろう。それらコンピュータプログラムインストラクションは、汎用コンピュータ、特殊用コンピュータ、またはその他プログラム可能なデータプロセッシング装備のプロセッサに搭載されうるので、コンピュータ、またはその他プログラム可能なデータプロセッシング装備のプロセッサを介して遂行されるそのインストラクションが、フローチャートのブロックで説明された機能を遂行する手段を生成することになる。それらコンピュータプログラムインストラクションは、特定方式で機能を具現するために、コンピュータ、またはその他プログラム可能なデータプロセッシング装備を志向することができるコンピュータ利用可能またはコンピュータ読み取り可能なメモリに保存されることも可能であるので、そのコンピュータ利用可能またはコンピュータ読み取り可能なメモリに保存されたインストラクションは、フローチャートのブロックで説明された機能を遂行するインストラクション手段を内包する製造品目を生産することも可能である。コンピュータプログラムインストラクションは、コンピュータ、またはその他プログラム可能なデータプロセッシング装備に搭載されることも可能であるので、コンピュータ、またはその他プログラム可能なデータプロセッシング装備において、一連の動作段階が遂行され、コンピュータで実行されるプロセスを生成し、コンピュータ、またはその他プログラム可能なデータプロセッシング装備を遂行するインストラクションは、フローチャートのブロックで説明された機能を実行するための段階を提供することも可能である。
【００３５】
また、各ブロックは、特定された論理的機能を実行するための１以上の実行可能なインストラクションを含むモジュール、セグメントまたはコードの一部を示すことができる。また、いくつかの大体実行例においては、ブロックにおいて言及された機能が順序を外れて発生するということもありうるということに注目しなければならない。例えば、続けて図示されている２つのブロックは、実際に実質的に同時に遂行されることも可能でもあり、そのブロックが折々当該機能により、逆順に遂行されるということも可能である。
【００３６】
このとき、本実施形態で使用される「〜部」という用語は、ソフトウェア構成要素、あるいはＦＰＧＡ（field-programmable gate array）またはＡＳＩＣ（application specific integrated circuit）のようなハードウェア構成要素を意味し、「〜部」は、ある役割を遂行する。しかしながら、「〜部」は、ソフトウェアまたはハードウェアに限定される意味ではない。「〜部」は、アドレッシングすることができる記録媒体にあるようにも構成され、１またはそれ以上のプロセッサを再生させるようにも構成される。従って、一例として、「〜部」は、ソフトウェア構成要素、客体志向ソフトウェア構成要素、クラス構成要素及びタスク構成要素のような構成要素、並びにプロセス、関数、属性、プロシージャ、サブルーチン、プログラムコードのセグメント、ドライバ、ファームウェア、マイクロコード、回路、データ、データベース、データ構造、テーブル、アレイ、及び変数を含む。構成要素と「〜部」とにおいて提供される機能は、さらに小数の構成要素及び「〜部」に結合されるか、あるいは追加的な構成要素と「〜部」とにさらにも分離される。それだけでなく、構成要素及び「〜部」は、デバイスまたは保安マルチメディアカードのうちの１またはその以上のＣＰＵを再生させるようにも具現される。また、本実施形態で「〜部」は、１以上のプロセッサを含んでもよい。
【００３７】
無線通信システムは、初期の音声中心のサービスを提供していたところから脱し、例えば、３ＧＰＰのＨＳＰＡ（high speed packet access）、ＬＴＥ（long-term evolution）あるいはＥ−ＵＴＲＡ（evolved universal terrestrial radio access）、ＬＴＥ−Ａ（ＬＴＥ−Advanced）、３ＧＰＰ２のＨＲＰＤ（high rate packet data）、ＵＭＢ（ultra mobile broadband）、及びＩＥＥＥの８２０．１６ｅのような通信標準のように、高速、高品質のパケットデータサービスを提供する広帯域無線通信システムに発展している。また、５世代無線通信システムに、５ＧあるいはＮＲ（new radio）の通信標準が作られている。
【００３８】
５ＧまたはＮＲのシステムにおいては、動的に伝送区間に係わる構成情報の設定が可能である。一例として、特定伝送区間内に、下向きリンク区間と上向きリンク区間、そしてこの２つのリンクいずれにも該当しない柔軟なリンク区間が存在することができる。
【００３９】
本開示においては、循環前置（ＣＰ（cyclic prefix））を考慮した特定伝送区間を構成する上向きリンク、下向きリンク、そして柔軟なリンク区間に係わる構成情報を提供する。また、本開示においては、循環前置（ＣＰ）を考慮した時間資源割り当て方法を提供する。
【００４０】
以下、本開示について、実施形態を添付した図面と共に詳細に説明する。また、本開示の説明において、関連する機能または構成に係わる具体的な説明が、本開示の要旨を必要以上に不明確にすると判断された場合、その詳細な説明は、省略する。そして、後述される用語は、本開示での機能を考慮して定義された用語であり、それらは、ユーザ、運用者の意図または慣例などによっても異なる。従って、その定義は、本明細書全般にわたる内容を基にしてなされなければならない。以下、基地局は、端末の資源割り当てを行う主体であり、ｇNode Ｂ、ｅNode Ｂ、Node Ｂ、ＢＳ（base station）、無線接続ユニット、基地局制御器、またはネットワーク上のノードのうち少なくとも一つでもある。端末は、ＵＥ（user equipment）、ＭＳ（mobile station）、セルラーフォン、スマートフォン、コンピュータ、または通信機能を遂行することができるマルチメディアシステムを含んでもよい。本開示において、下向きリンク（ＤＬ：down link）は、基地局が端末に送信する信号の無線送信経路であり、上向きリンクは、（ＵＬ：uplink）は、端末が基地局に送信する信号の無線送信経路を意味する。また、以下において、ＬＴＥシステムまたはＬＴＥ−Ａシステムを例として挙げ、本開示の実施形態について説明するが、類似の技術的背景またはチャネル形態を有するその他の通信システムにも、本開示の実施形態が適用されもする。例えば、ＬＴＥ−Ａ後に開発される５世代移動通信技術（５Ｇ ＮＲ（new radio））がそれに含まれであろう。また、本開示の実施形態は、当業者の判断でもって、本開示の範囲を大きく外れない範囲において、一部変形を介して、他の通信システムにも適用されるであろう。
【００４１】
広帯域無線通信システムの代表的な例として、ＬＴＥシステムにおいては、下向きリンク（ＤＬ）においては、ＯＦＤＭ（orthogonal frequency division multiplexing）方式を採用しており、上向きリンク（ＵＬ）においては、ＳＣ−ＦＤＭＡ（single carrier frequency division multiple access）方式を採用している。上向きリンクは、端末（ＵＥ（user equipment）あるいはＭＳ（mobile station））が、基地局（ｅNode ＢあるいはＢＳ（base station））にデータあるいは制御信号を伝送する無線リンクを意味し、下向きリンクは、基地局が端末に、データあるいは制御信号を伝送する無線リンクを意味する。そのような多重接続方式は、一般的に各ユーザ別に、データあるいは制御情報を伝送する時間・周波数資源が互いに重ならないように、すなわち、直交性（orthogonality）がなされるように、割り当て及び運用を行うことにより、各ユーザのデータあるいは制御情報を区分することができる。
【００４２】
本開示においては、提案する方法及びその装置について説明するために、従来のＬＴＥシステムあるいはＬＴＥ−Ａシステムにおける、物理チャネル（physical channel）及び信号（signal）という用語が使用される。しかし、本開示の内容は、ＬＴＥシステムあるいはＬＴＥ−Ａシステムではない無線通信システムにおいても適用されるのである。
【００４３】
本開示において上位シグナリングは、基地局から、物理階層の下向きリンクデータチャネルを利用して端末に、あるいは端末から、物理階層の上向きリンクデータチャネルを利用して基地局に伝達される信号伝達方法であり、ＲＲＣシグナリング（radio resource control signaling）あるいはＭＡＣ（medium access control）制御要素（ＣＥ：control element）とも言及される。
図１は、ＬＴＥシステム、またはそれと類似したシステムの下向きリンク無線資源領域である時間・周波数領域の伝送構造を示した図面である。
【００４４】
図１を参照すれば、無線資源領域において、横軸は、時間領域を示し、縦軸は、周波数領域を示す。時間領域での最小伝送単位は、ＯＦＤＭシンボルであり、Ｎｓｙｍｂ個のＯＦＤＭシンボル１０２が集まり、１つのスロット１０６を構成し、２個のスロットが集まり、１つのサブフレーム１０５を構成する。このとき、スロット長は、０．５ｍｓであり、サブフレーム長は、１．０ｍｓでもある。そして、ラジオフレーム１１４は、１０個のサブフレームによって構成される時間領域区間である。周波数領域での最小伝送単位は、サブキャリア（subcarrier）であり、全体システム伝送帯域（transmission bandwidth）の帯域幅は、総ＮＲＢＤＬ個のサブキャリア１０４によっても構成される。ただし、そのような具体的な数値は、システムによって可変的にも適用される。
【００４５】
時間・周波数領域において、資源の基本単位は、リソースエレメント（ＲＥ：resource element）１１２であり、ＯＦＤＭシンボルインデックス及びサブキャリアインデックスとして示すことができる。リソースブロック（ＲＢ：resource block）１０８（または、ＰＲＢ：physical resource block）は、時間領域における、Ｎｓｙｍｂ個の連続したＯＦＤＭシンボル１０２と、周波数領域における、ＮＲＢ個の連続したサブキャリア１１０とによっても定義される。従って、１つのスロットにおいて、１つのＲＢ１０８は、（ＮｓｙｍｂｘＮＲＢ）個のＲＥ１１２によっても構成される。
【００４６】
一般的に、データの最小伝送単位は、ＲＢであり、ＬＴＥシステムにおいて、一般的にＮｓｙｍｂ＝７、ＮＲＢ＝１２であり、ＮＢＷ及びＮＲＢは、システム伝送帯域の帯域幅に比例する。ただし、ＬＴＥシステムではない他のシステムにおいては、異なる値を使用することもできる。端末にスケジューリングされるＲＢ個数に比例し、データレートが増加することになる。
【００４７】
ＬＴＥシステムは、６個の伝送帯域幅を定義して運用することができる。下向きリンクと上向きリンクとを周波数でもって区分して運用するＦＤＤシステムの場合、下向きリンク伝送帯域幅と上向きリンク伝送帯域幅とが互いに異なりもする。ここで、チャネル帯域幅は、システム伝送帯域幅に対応するＲＦ帯域幅を示す。以下の［表１］は、ＬＴＥシステムに定義されたシステム伝送帯域幅とチャネル帯域幅（channel bandwidth）との対応関係を示す。例えば、１０ＭＨｚチャネル帯域幅を有するＬＴＥシステムは、伝送帯域幅が５０個のＲＢによっても構成される。
【００４８】
【表１】
2021507592.tif 000003
【００４９】
下向きリンク制御情報の場合、サブフレーム内の最初Ｎ個のＯＦＤＭシンボル以内にも伝送される。本実施形態において、一般的に、Ｎ＝｛１，２，、３｝である。従って、現在サブフレームに伝送されなければならない制御情報の量により、Ｎ値がサブフレームごとに可変的にも適用される。伝送される制御情報は、当該制御情報がＯＦＤＭシンボルのいくつにわたって伝送されるかということを示す制御チャネル伝送区間指示子、下向きリンクデータあるいは上向きリンクデータに係わるスケジューリング情報、ＨＡＲＱ ＡＣＫ／ＮＡＣＫに係わる情報を含んでもよい。
【００５０】
ＬＴＥシステムにおいて、下向きリンクデータあるいは上向きリンクデータに係わるスケジューリング情報は、下向きリンク制御情報（ＤＣＩ：downlink control information）を介して、基地局から端末に伝達される。ＤＣＩは、さまざまなフォーマットによって定義され、各フォーマットにより、上向きリンクデータに係わるスケジューリング情報（ＵＬ grant）であるか、あるいは下向きリンクデータに係わるスケジューリング情報（ＤＬ grant）であるかということ、制御情報の大きさが小さいコンパクトＤＣＩであるか否かということ、多重アンテナを使用した空間多重化（spatial multiplexing）を適用するか否かということ、電力制御用ＤＣＩであるか否かということなどを示すことができる。例えば、下向きリンクデータに係わるスケジューリング制御情報（ＤＬ grant）であるＤＣＩ format １は、少なくとも次のような制御情報のうち一つを含んでもよい。
【００５１】
−資源割り当て類型０／１フラグ（resource allocation type ０／１ flag）：リソース割り当て方式が、類型０であるか、または類型１であるかということを指示する。類型０は、ビットマップ方式を適用し、ＲＢＧ（resource block group）単位でリソースを割り当てる。ＬＴＥシステムにおいて、スケジューリングの基本単位は、時間・周波数領域リソースとして表現されるＲＢであり、ＲＢＧは、複数個のＲＢによって構成され、類型０方式でのスケジューリングの基本単位になる。類型１は、ＲＢＧ内において、特定ＲＢを割り当てる。
【００５２】
−資源ブロック割り当て（resource block assignment）：データ伝送に割り当てられたＲＢを指示する。システム帯域幅及びリソース割り当て方式によって表現するリソースが決定される。
【００５３】
−変調及びコーディング方式（ＭＣＳ：modulation and coding scheme）：データ伝送に使用された変調方式と、伝送しようとするデータである伝送ブロック（ＴＢ：transport block）の大きさとを指示する。
−ＨＡＲＱプロセス番号（ＨＡＲＱ process number）：ＨＡＲＱのプロセス番号を指示する。
−新たなデータ指示子（new data indicator）：ＨＡＲＱ初期伝送であるか、またはその再伝送であるかということを指示する。
−重複バージョン（redundancy version）：ＨＡＲＱの重複バージョン（redundancy version）を指示する。
【００５４】
−ＰＵＣＣＨのための伝送電力制御命令（ＴＰＣ（transmit power control） command） for ＰＵＣＣＨ（physical uplink control channel）：上向きリンク制御チャネルであるＰＵＣＣＨに対する伝送電力制御命令を指示する。
【００５５】
ＤＣＩは、チャネルコーディング及び変調過程を経て、下向きリンク物理制御チャネルであるＰＤＣＣＨ（physical downlink control channel）（または、制御情報、以下、混用しても使用される）上あるいはＥＰＤＣＣＨ（enhanced ＰＤＣＣＨ）（または、向上した制御情報、以下、混用しても使用される）上でも伝送される。
【００５６】
一般的に、ＤＣＩは、各端末に対して、独立して特定ＲＮＴＩ（radio network temporary identifier）（または、端末識別子）でスクランブルされ、ＣＲＣ（cyclic redundancy check）が追加され、チャネルコーディングされた後、それぞれ独立したＰＤＣＣＨに構成されて伝送される。時間領域においてＰＤＣＣＨは、制御チャネル伝送区間の間にマッピングされて伝送される。ＰＤＣＣＨの周波数領域マッピング位置は、各端末の識別子（ＩＤ）によって決定され、全体システム伝送帯域に広がって伝送される。
【００５７】
下向きリンクデータは、下向きリンクデータ伝送用物理チャネルであるＰＤＳＣＨ（physical downlink shared channel）上でも伝送される。ＰＤＳＣＨは、制御チャネル伝送区間後からも伝送され、周波数領域での具体的なマッピング位置、変調方式などのスケジューリング情報は、ＰＤＣＣＨを介して伝送されるＤＣＩを基に決定される。
【００５８】
基地局は、ＤＣＩを構成する制御情報のうちＭＣＳを利用し、端末に伝送するＰＤＳＣＨに適用された変調方式と、伝送するデータの大きさ（ＴＢＳ：transport block size）を通知する。一実施形態において、ＭＣＳは、５ビット、あるいはそれよりさらに多いか、あるいは少ないビットによっても構成される。ＴＢＳは、基地局が伝送するデータ伝送ブロック（ＴＢ：transport block）にエラー訂正のためのチャネルコーディングが適用される以前の大きさに該当する。
【００５９】
一実施形態において、伝送ブロック（ＴＢ）とは、ＭＡＣ（medium access control）ヘッダ、ＭＡＣ制御要素（ＣＥ：control element、１個以上のＭＡＣ ＳＤＵ（service data unit）、パディング（padding）ビットを含んでもよい。また、伝送ブロック（ＴＢ）は、ＭＡＣ階層から物理階層（physical layer）に下がるデータの単位あるいはＭＡＣ ＰＤＵ（protocol data unit）を示すこともできる。
【００６０】
ＬＴＥシステムで支援する変調方式は、ＱＰＳＫ（quadrature phase shift keying）、１６ＱＡＭ（quadrature amplitude modulation）、６４ＱＡＭであり、それぞれの変調オーダー（modulation order）（Ｑｍ）は、２、４、６に該当する。すなわち、ＱＰＳＫ変調の場合、シンボル当たり２ビット、１６ＱＡＭ変調の場合、シンボル当たり４ビット、６４ＱＡＭ変調の場合、シンボル当たり６ビットを伝送することができる。また、システム変形により、２５６ＱＡＭ以上の変調方式も使用される。
【００６１】
図２は、ＬＴＥ、またはそれと類似したシステムの上向きリンク無線資源領域である時間・周波数領域の伝送構造を示した図面である。
図２を参照すれば、無線資源領域において、横軸は、時間領域を示し、縦軸は、周波数領域を示す。時間領域での最小伝送単位は、ＳＣ−ＦＤＭＡシンボル２０２であり、ＮｓｙｍｂＵＬ個のＳＣ−ＦＤＭＡシンボルが集まり、１つのスロット２０６を構成することができる。そして、２個のスロットが集まり、１つのサブフレーム２０５を構成する。周波数領域での最小伝送単位は、サブキャリアであり、全体システム伝送帯域（transmission bandwidth）は、総ＮＲＢＵＬ個のサブキャリア２０４によって構成される。ＮＲＢＵＬは、システム伝送帯域に比例する値を有することができる。
【００６２】
時間・周波数領域において、資源の基本単位は、リソースエレメント（ＲＥ：resource element）２１２であり、ＳＣ−ＦＤＭＡシンボルインデックス及びサブキャリアインデックスと定義することができる。リソースブロックペア（ＲＢ pair：resource block pair）は、時間領域における、ＮｓｙｍｂＵＬ個の連続したＳＣ−ＦＤＭＡシンボルと、周波数領域における、ＮＲＢ個の連続したサブキャリア２１０とも定義される。従って、１つのＲＢは、ＮｓｙｍｂｘＮＲＢ個のＲＥによって構成される。一般的に、データあるいは制御情報の最小伝送単位は、ＲＢ単位である。ＰＵＣＣＨの場合、１ＲＢに該当する周波数領域にマッピングされ、１サブフレームの間に伝送される。
【００６３】
ＬＴＥシステムにおいては、下向きリンクデータ伝送用物理チャネルであるＰＤＳＣＨ、あるいは半永久的スケジューリング解除（ＳＰＳ release：semi-persistent scheduling release）を含むＰＤＣＣＨ／ＥＰＤＤＣＨに対応するＨＡＲＱ ＡＣＫ／ＮＡＣＫが伝送される上向きリンク物理チャネルであるＰＵＣＣＨあるいはＰＵＳＣＨのタイミング関係が定義されもする。一例として、ＦＤＤ（frequency division duplex）で動作するＬＴＥシステムにおいては、（ｎ−４）番目サブフレームにおいて伝送されたＰＤＳＣＨあるいはＳＰＳ releaseを含むＰＤＣＣＨ／ＥＰＤＣＣＨに対応するＨＡＲＱ ＡＣＫ／ＮＡＣＫが、ｎ番目サブフレームにおいて、ＰＵＣＣＨあるいはＰＵＳＣＨにも伝送される。
【００６４】
ＬＴＥシステムにおいて下向きリンクＨＡＲＱは、データ再伝送時点が固定されていない非同期（asynchronous）ＨＡＲＱ方式を採択している。すなわち、基地局が伝送した初期伝送データについて、端末からＨＡＲＱＮＡＣＫをフィードバックされた場合、基地局は、再伝送データの伝送時点を、スケジューリング動作により、自由に決定する。端末は、ＨＡＲＱ動作のために、受信データに係わるデコーディング結果、エラーと判断されたデータに対してバッファリングを行った、次に、再伝送データとコンバイニングを行うことができる。
【００６５】
端末は、サブフレームｎにおいて、基地局から伝送された下向きリンクデータを含むＰＤＳＣＨを受信すれば、サブフレーム（ｎ＋ｋ）において、下向きリンクデータのＨＡＲＱ ＡＣＫあるいはＮＡＣＫを含む上向きリンク制御情報を、ＰＵＣＣＨあるいはＰＵＳＣＨを介して基地局に伝送する。このとき、ｋは、ＬＴＥのシステムのＦＤＤまたはＴＤＤ（time division duplex）と、そのサブフレーム設定とによって異なるようにも定義される。一例として、ＦＤＤＬＴＥシステムの場合には、ｋが４に固定される。一方、ＴＤＤＬＴＥシステムの場合には、ｋが、サブフレーム設定とサブフレーム番号とによっても変わる。また、複数のキャリアを介したデータ伝送時、各キャリアのＴＤＤ設定により、ｋの値が異なるようにも適用される。
【００６６】
ＬＴＥシステムにおいて、下向きリンクＨＡＲＱと異なり、上向きリンクＨＡＲＱは、データ伝送時点が固定された同期（synchronous）ＨＡＲＱ方式を採択している。すなわち、上向きリンクデータ伝送用物理チャネルであるＰＵＳＣＨ（physical uplink shared channel）、それに先行する下向きリンク制御チャネルであるＰＤＣＣＨ、そしてＰＵＳＣＨに対応する下向きリンクＨＡＲＱ ＡＣＫ／ＮＡＣＫが伝送される物理チャネルであるＰＨＩＣＨ（physical hybrid indicator channel）の上向き／下向きリンクタイミング関係は、次のような規則によっても送受信される。
【００６７】
端末は、サブフレームｎにおいて、基地局から伝送された上向きリンクスケジューリング制御情報を含むＰＤＣＣＨ、あるいは下向きリンクＨＡＲＱ ＡＣＫ／ＮＡＣＫが伝送されるＰＨＩＣＨを受信すれば、サブフレーム（ｎ＋ｋ）において、制御情報に対応する上向きリンクデータをＰＵＳＣＨを介して伝送する。このとき、ｋは、ＬＴＥのシステムのＦＤＤまたはＴＤＤ（time division uplex）と、その設定とによって異なるようにも定義される。一例として、ＦＤＤＬＴＥシステムの場合には、ｋが４にも固定される。一方、ＴＤＤＬＴＥシステムの場合には、ｋが、サブフレーム設定とサブフレーム番号とによっても変わる。また、複数のキャリアを介したデータ送信時、各キャリアのＴＤＤ設定により、ｋの値が異なるようにも適用される。
【００６８】
そして、端末は、サブフレームｉにおいて、基地局から下向きリンクＨＡＲＱ ＡＣＫ／ＮＡＣＫと係わる情報を含むＰＨＩＣＨを受信すれば、ＰＨＩＣＨは、サブフレーム（ｉ−ｋ）において、端末が伝送したＰＵＳＣＨに対応する。このとき、ｋは、ＬＴＥのシステムのＦＤＤまたはＴＤＤと、その設定とによっても異なるように定義される。一例として、ＦＤＤＬＴＥシステムの場合には、ｋが４に固定される。一方、ＴＤＤＬＴＥシステムの場合には、ｋが、サブフレーム設定とサブフレーム番号とによっても変わる。また、複数のキャリアを介したデータ伝送時、各キャリアのＴＤＤ設定により、ｋの値が異なるようにも適用される。
【００６９】
【表２】
2021507592.tif 000004
【００７０】
表２は、３ＧＰＰ ＴＳ ３６．２１３にあるＣ−ＲＮＴＩによって設定された条件において、各伝送モードによるサポート可能なＤＣＩフォーマット類型を示す。端末は、既設定の伝送モードにより、制御領域区間において、当該ＤＣＩフォーマットが存在することを仮定し、探索及びデコーディングを行うことになる。例えば、端末が伝送モード８を指示された場合、端末は、共通探索領域（common search space）及び端末特定探索領域（ＵＥ−specific search space）においてＤＣＩフォーマット１Ａを探索し、端末特定探索領域においてのみＤＣＩフォーマット２Ｂを探索する。
【００７１】
前述の無線通信システムの説明はＬＴＥシステムを基準に説明し、本発明の内容は、ＬＴＥシステムに限られるものではなく、ＮＲ、５Ｇのような多様な無線通信システムにおいても適用される。また、本実施形態において、他の無線通信システムに適用される場合、ＦＤＤと対応する変調方式を使用するシステムにおいても、ｋ値は、変更されても適用される。
図３は、一実施形態による、循環前置の伝送単位構造を図示するブロック図である。
【００７２】
循環前置は、大きく見て、普通循環前置（ＮＣＰ：normal cyclic prefix）と拡張循環前置（ＥＣＰ：extended cyclic prefix）とに分けられる。循環前置の目的は、特定副搬送波基準各シンボルが、多重経路チャネルを介して伝送される間、相互シンボル間干渉（ＩＳＩ：inter symbol interference）を防止するためであり、そのために、連続したシンボル間に、チャネルの最大遅延拡散（delay spread）より長い保護区間（guard interval）を挿入するのである。有効シンボル区間の最後区間の信号を複写し、前に挿入する方法を循環前置と言う。参照として、５ＧシステムまたはＮＲシステムにおいては、ＬＴＥと異なり、多様な副搬送波間隔（subcarrier spacing）を提供する。ＬＴＥシステムは、副搬送波間隔として１５ｋＨｚを提供したが、５ＧシステムまたはＮＲシステムにおいては、１５ｋＨｚ、３０ｋＨｚ、６０ｋＨｚ、１２０ｋＨｚ、２４０ｋＨｚのなどの副搬送波間隔を提供する。そのとき、５ＧシステムまたはＮＲシステムにおいて、１５ｋＨｚ、３０ｋＨｚ、１２０ｋＨｚ、２４０ｋＨｚの副搬送波間隔においては、普通循環前置だけ提供する一方、６０ｋＨｚの副搬送波間隔においては、普通循環前置と拡張循環前置とをいずれも提供する。ここで、１５ｋＨｚ、３０ｋＨｚ、１２０ｋＨｚ、２４０ｋＨｚの副搬送波間隔においても、拡張循環前置の提供が、５ＧシステムまたはＮＲシステムに含まれてもよいということは言うまでもない。
【００７３】
［表３］は、副搬送波間隔による１つのスロットを構成する時間単位を示す。ここで、スロットとは、基地局と端末とがデータを取り交わす基本単位である。そして、サブフレームであるというのは、ＬＴＥシステムのように、１ｍｓ長を有したラジオ伝送単位を意味する。５ＧシステムまたはＮＲシステムにおいては、副搬送波間隔が１５ｋＨｚである場合、一スロット長は、１ｍｓであり、それは、サブフレーム長と同じであり、開始地点と終了地点とが一致する。副搬送波間隔が３０ｋＨｚである場合、１スロット長は、０．５ｍｓであり、２個のスロットが１つのサブフレームを構成すると見られる。副搬送波間隔が６０ｋＨｚである場合、１スロット長は、０．２５ｍｓであり、４個のスロットが１つのサブフレームを構成すると見ることができる。副搬送波間隔が１２０ｋＨｚである場合、１スロット長は、０．１２５ｍｓであり、８個のスロットが１つのサブフレームを構成すると見ることができる。副搬送波間隔が２４０ｋＨｚである場合、１スロット長は、０．０６２５ｍｓであり、１６個のスロットが１つのサブフレームを構成すると見ることができる。
［表３］において、μｓは、マイクロ秒を意味し、ｍｓは、ミリメートル秒を意味する。
【００７４】
【表３】
2021507592.tif 000005
【００７５】
図３においては、副搬送波間隔と関係なく、１スロットを構成するＯＦＤＭシンボル数を、循環前置類型によって異なるように図示した。一般的に、循環前置基盤スロット構造３００において、１つのスロット３０２は、１４個のＯＦＤＭシンボル３０４によっても構成される。拡張循環前置基盤スロット構造３１０において、１つのスロット３１２は、１２個のＯＦＤＭシンボル３１４によって構成される。
【００７６】
スロットフォーマット指示子（ＳＦＩ：slot format indicator）は、１スロットを構成するＯＦＤＭシンボルが、それぞれ下向きリンクであるか、または上向きリンクであるかということ、あるいは柔軟なリンクであるか、または将来サービスのために予約されたリンクであるかということを知らせる役割を行う。柔軟なリンクの意味は、下向きリンク及び上向きリンクではないことを意味し、追って端末特定制御情報によって設定されうるＯＦＤＭシンボル区間であることを意味する。また、柔軟なリンクの意味は、下向きリンクから上向きリンクに転換される過程において、必要なギャップ区間（gap guard）を含みもする。
【００７７】
スロットフォーマット指示子は、Ｎスロット単位ごとに、端末グループ（または、セル）共通制御チャネルを介して、多数端末に同時にも伝送される。ここで、Ｎの値は、自然数値が、いずれも可能である、あるいは１、２、５、１０、２０のような値が可能である。
【００７８】
［表４］は、普通循環前置基盤スロット構造で適用されうるスロットフォーマット構造を示す。
【００７９】
【表４】
2021507592.tif 000006
【００８０】
［表４］において、Ｄは、下向きリンクを意味し、Ｕは、上向きリンクを意味に、Ｘは、柔軟なリンクを意味する。［表４］で支援することができるスロットフォーマット総数は、２５６個であり、それは、８個のビットでもって、端末グループ共通下向き制御情報にも含まれる。ただし、支援することができる総２５６個のスロットフォーマット中において、将来サービスのために、一部は、使用されない。［表４］においては、６２個のスロットフォーマットだけ実在的に適用された状況を示す。１つの搬送波当たりスロットフォーマット情報は、総８個のビットによっても構成され、搬送波集合（carrier aggregation）状況においては、特定端末グループに、総ｋ個の搬送波集合が適用可能である場合、スロットフォーマット指示子情報の大きさは、８×ｋ個のビットによっても構成される。一例として、搬送波集合が総２個で構成される場合、総１６個のビットでもって、スロットフォーマット指示子情報が構成され、最初８個のビットは、最初搬送波に対するスロットフォーマット構造情報を知らせる用途にも使用され、その後の８個ビットは、２番目搬送波に係わるスロットフォーマット構造情報を知らせる用途にも使用される。
【００８１】
または、任意の搬送波において、他の搬送波内のスロットフォーマット構成情報を知らせることができる。そのような状況においては、特定搬送波を指示するフィールドが、ｎ個のビットによって構成される場合、スロットフォーマット指示子情報の大きさは、（８＋ｎ）個のビットによっても構成される。一例として、搬送波集合が総２個で構成される場合、総９個のビットでもっても、スロットフォーマット指示子情報が構成され、最初１個のビットは、特定搬送波を知らせる用途に使用され、続く８個のビットは、先立って指示された搬送波に係わるスロットフォーマット構造情報を知らせる用途にも使用される。
拡張循環前置基盤スロット構造でのスロットフォーマットは、次の３種方法を提供することができる。
１．普通循環前置基盤スロットフォーマット構造を再使用する方法
２．普通循環前置基盤スロットフォーマット構造を変形して使用する方法
３．拡張循環前置基盤スロットフォーマット構造を提供する方法
【００８２】
最初の方法（普通循環前置基盤スロットフォーマット構造を再使用する方法）は、［表４］を基に、拡張循環前置基盤スロットフォーマット構造に適用する方法を意味する。［表４］は、１つのスロットが１４個のシンボルで構成された状況で設計されたスロットフォーマット構造であり、それを１２個のシンボルで構成するためには、１４個シンボル番号のうち２個を暗黙的に無視して適用することができる。一例として、次の［表５］が拡張循環前置基盤スロットフォーマット構造として適用されるのである。
【００８３】
【表５】
2021507592.tif 000007
【００８４】
［表５］は、普通循環前置基盤スロットフォーマット構造において、シンボル番号１２と同１３とに該当する値を消した形態と見ることができる。［表４］と比較すれば、スロットフォーマット指示子により、同じスロットフォーマット番号を端末が受けても、前もって上位シグナリングに設定された循環前置情報により、スロットフォーマット構成情報を異なるように判断することができる。一例として、スロットフォーマット指示子により、スロットフォーマット情報５８を受ける場合、普通循環前置構造において、スロットフォーマットは、次の［表６］の通りである。
【００８５】
【表６】
2021507592.tif 000008
【００８６】
拡張循環前置構造でのスロットフォーマットは、次の表７の通りである。
【００８７】
【表７】
2021507592.tif 000009
【００８８】
［表５］は、［表４］のスロットフォーマット構造において、１スロット内の１３番目シンボルと１４番目シンボルとに該当するシンボル構成情報を消した形態を例示として挙げたが、次のように、［表４］のスロットフォーマット構成情報において、１スロット内の１番目シンボルと２番目シンボルとに該当するシンボル構成情報を消した形態も、［表８］のように十分に可能である。または、１スロット内の４番目シンボルと１１番目シンボルとに該当するシンボル構成情報を消した形態も、［表８−１］のように、十分に可能である。
【００８９】
【表８】
2021507592.tif 000010
【００９０】
【表８−１】
2021507592.tif 000011
【００９１】
［表８］は、普通循環前置基盤スロットフォーマットにおいて、シンボル番号０と同１とに該当する値を消した形態と見ることができる。［表８−１］は、普通循環前置基盤スロットフォーマットにおいて、シンボル番号３と同１０とに該当する値を消した形態と見ることができる。［表４］と比較すれば、スロットフォーマット指示子により、同じスロットフォーマット番号を端末が受けても、前もって上位シグナリングに設定された循環前置情報により、スロットフォーマット構成情報を異なるように判断することができる。一例として、スロットフォーマット指示子により、スロットフォーマット情報５８を受ける場合、普通循環前置構造において、スロットフォーマットは、次の［表９］の通りである。
【００９２】
【表９】
2021507592.tif 000012
【００９３】
拡張循環前置構造でのスロットフォーマットは、次の［表１０］の通りである。
【００９４】
【表１０】
2021507592.tif 000013
【００９５】
一般的に、最初の方法（普通循環前置基盤スロットフォーマット構造を再使用する方法）は、普通循環前置基盤スロットフォーマット構造において、特定２列（または、シンボル番号またはシンボルインデックス）の値を除去し、残った値を使用する形態を拡張循環前置基盤スロットフォーマット構造において使用することを意味する。
【００９６】
図３においては、普通循環前置基盤スロットフォーマット構造を介した拡張循環前置基盤スロットフォーマット構造へのマッピング過程を示す。普通循環前置基盤スロットフォーマット構造３２０のシンボル番号（または、シンボルインデックス）が、拡張循環前置基盤スロットフォーマット構造３２２のシンボル番号（または、シンボルインデックス）にマッピングされることが分かる。図３を参照すれば、普通循環前置基盤スロットフォーマット構造のシンボル番号０は、ｋ０に、２は、ｋ１に、３は、ｋ２に、４は、ｋ３に、５は、ｋ４に、６は、ｋ５に、７は、ｋ６に、８は、ｋ７に、１０は、ｋ８に、１１は、ｋ９に、１２は、ｋ１０に、１３は、ｋ１１にマッピングされる状況を示す。ここで、ｋ０、ｋ１、ｋ２、ｋ３、ｋ４、ｋ５、ｋ６、ｋ７、ｋ８、ｋ９、ｋ１０、ｋ１１は、拡張循環前置基盤スロットフォーマット構造において、０から１１までの値を有するシンボル番号（または、シンボルインデックス）を意味し、互いに異なる値を有する（または、一部は、同じ値をも有する）。図３においては、一対一マッピング関係を図示したが、一対多数マッピングも十分に可能である。例えば、普通循環前置基盤スロットフォーマット構造のシンボル番号１が、拡張循環前置基盤スロットフォーマット構造のシンボル番号ｋ２，ｋ４に同時にマッピングされることが十分に可能である。そのようなマッピングの意味は、普通循環前置基盤スロットフォーマット構造の特定シンボル番号に適用された各フォーマット番号別に、シンボル情報構成が拡張循環前置基盤スロットフォーマット構造の特定シンボル番号に適用された各フォーマット番号別に、シンボル情報にそのまま適用されることを意味する。一例として、普通循環前置基盤スロットフォーマット構造のシンボル番号２が、拡張循環前置基盤スロットフォーマット構造のシンボル番号３にマッピングされる場合、次の［表１１］のようなマッピング関係が十分に適用されうる。端末は、確定循環前置を、端末共通または端末特定の上位シグナリングに設定される場合、スロットフォーマット指示子情報を、下向き制御情報を介して受信するとき、拡張循環前置基盤スロットフォーマット構造に対して、普通循環前置基盤スロットフォーマット構造において、（１４個のシンボル番号において）特定２個のシンボル番号を除いた残り１２個のシンボル番号について、（０から昇順にさらにマッピングして）適用された値を使用することを期待することができる。
【００９７】
【表１１】
2021507592.tif 000014
【００９８】
２番目の方法は、普通循環前置基盤スロットフォーマット構造を変形して使用する方法である。最初の方法は、普通循環前置基盤スロットフォーマットのシンボル番号と、拡張循環前置基盤スロットフォーマットのシンボル番号とをマッピングし、普通循環前置基盤スロットフォーマット番号別に適用されたシンボル番号に適用されたシンボル構成情報は、変化がないが、特定２個以上のフォーマット番号が、拡張循環前置基盤スロットフォーマット構造において、同じスロット構造を指示する問題が発生してしまう。例えば、［表５］において、スロットフォーマット番号８とスロットフォーマット番号９は、同じスロット構成情報を指示することが分かる。そのように、スロット構造が同一スロットフォーマット情報を除去した拡張循環前置基盤スロットフォーマット構造を提供する方法が十分に可能である。
【００９９】
そのような方法を提供するための規則は、次の通りである。
１）まず、最初の方法のように、普通循環前置基盤スロットフォーマット構造において、特定２個のシンボル番号を除去して残った１２個のシンボル番号を有し、拡張循環前置基盤スロットフォーマット構造の基礎として使用する（［表１２］は、例示として、１２，１３列を除外したものを考慮する）。
【０１００】
【表１２】
2021507592.tif 000015
【０１０１】
２）その後、スロット構造が同一であるもののうち、最小であるスロットフォーマット番号（または、最大番号）を除いていずれも消す（［表１３］は、例示として、最小であるスロットフォーマット番号を除いていずれも消した場合を考慮する）。
【０１０２】
【表１３】
2021507592.tif 000016
【０１０３】
その後、昇順に、規則２）において除かれたスロットフォーマット番号を、他のスロットフォーマット番号に再割り当てする（または、規則２）において、スロットフォーマット番号は、reservedに割り当てる；［表１４］は、例題として、規則２）において除かれたスロットフォーマット番号を、他のスロットフォーマット番号に再割り当てすることを考慮する）。
【０１０４】
【表１４】
2021507592.tif 000017
一例として、そのような規則を適用して導き出された構造を、拡張循環前置基盤スロットフォーマット構造として使用することが十分に可能である。
【０１０５】
３番目の方法（拡張循環前置基盤スロットフォーマット構造を提供する方法）は、普通循環前置基盤スロットフォーマット構造を再使用または変形して使用する方法ではなく、新たなフォーマット構造を使用するものである。新たな拡張循環前置基盤スロットフォーマット構造を考慮する方法としては、次のような規則が適用されもする。
【０１０６】
●全てのシンボルが下向きリンクであるか、上向きリンクであるか、あるいは柔軟なリンクであることを考慮する
●下向きリンクから上向きリンクへの転換が１回だけ可能である場合
−短い連続下向きリンクについて、最大３個の下向きリンクシンボルを考慮する
−短い連続上向きリンクについて 最大２個の上向きリンクシンボルを考慮する
−短い連続柔軟なリンクについて、最大３個の柔軟なリンクシンボルを考慮する
◎下向きリンク及び柔軟なリンク構成だけ存在する場合
◎下向きリンクシンボルが多い場合：柔軟なリンクシンボルは、シンボル番号９，１０，１１で始まり、シンボル番号１１で終了
◎柔軟なリンクシンボルが多い場合：柔軟なリンクシンボルは、シンボル番号１，２，３で始まり、シンボル番号１１で終了
−上向きリンク及び柔軟なリンク構成だけ存在する場合
◎上向きリンクシンボルが多い場合：柔軟なリンクシンボルは、シンボル番号０で始まり、シンボル番号０，１，２，３，４，５で終了
◎柔軟なリンクシンボルが多い場合：柔軟なリンクシンボルは、シンボル番号０で始まり、シンボル番号９，１０で終了
◎上向きリンクと下向きリンクと柔軟なリンク構成とが存在する場合
◎下向きリンクシンボルが多い場合：柔軟なリンクシンボルは、シンボル番号｛１０｝，｛９，１０｝，｛８，９，１０｝，｛９｝，｛８，９｝，｛７，８，９｝に位置
◎柔軟なシンボルが多い場合：柔軟なリンクシンボルは、シンボル番号１，２，３で始まり、シンボル番号９，１０で終了
◎上向きリンクシンボルが多い場合：柔軟なリンクシンボルは、シンボル番号｛１｝，｛２｝，｛３｝，｛１，２｝，｛２，３｝，｛３，４｝，｛１，２，３｝，｛２，３、４｝，｛３，４，５｝
◎ＬＴＥ構造とマッチされるパターン｛下向き・上向き・柔軟｝：｛８−３−１｝，｛５−５−２｝，｛５−２−５｝
◎それ以外の場合：スロット開始地点において、下向きリンク３シンボル、スロット終了地点において、上向きリンク３シンボル
●下向きリンクから上向きリンクへの転換が２回可能である場合
−対称構造考慮する
◎短い連続下向きリンクである場合、最大２個の下向きリンクシンボルを考慮する
◎短い連続上向きリンクである場合、最大１個の上向きリンクシンボルを考慮する
◎短い連続柔軟なリンクである場合、最大２個の柔軟なリンクシンボルを考慮する
【０１０７】
そのような基準を考慮し、［表１５］のように、拡張循環前置基盤スロットフォーマット構成を考慮することができる。
【０１０８】
【表１５】
2021507592.tif 000018
【０１０９】
端末は、端末共通または端末特定の上位シグナリングにより、普通循環前置が設定される場合、端末は、拡張循環前置基盤スロットフォーマット構造を考慮したスロットフォーマット指示子情報（または、スロットフォーマット指示子関連ＲＮＴＩがスクランブリングされたＣＲＣ）を含んだ制御情報受信を行わないことを期待する。または、端末は、端末共通または端末特定の上位シグナリングによって普通循環前置が設定される場合、該端末は、普通循環前置基盤スロットフォーマット構造を考慮したスロットフォーマット指示子情報（または、スロットフォーマット指示子関連ＲＮＴＩがスクランブリングされたＣＲＣ）を含んだ制御情報受信を期待する。
【０１１０】
端末は、端末共通または端末特定の上位シグナリングによって拡張循環前置が設定される場合、端末は、普通循環前置基盤スロットフォーマット構造を考慮したスロットフォーマット指示子情報（または、スロットフォーマット指示子関連ＲＮＴＩがスクランブリングされたＣＲＣ）を含んだ制御情報受信をしないことを期待する。または、端末は、端末共通または端末特定の上位シグナリングによって拡張循環前置が設定される場合、該端末は、拡張循環前置基盤スロットフォーマット構造を考慮したスロットフォーマット指示子情報（または、スロットフォーマット指示子関連ＲＮＴＩがスクランブリングされたＣＲＣ）を含んだ制御情報受信を期待する。
【０１１１】
端末は、端末共通または端末特定の上位シグナリングによって循環前置関連設定情報を受けない場合、該端末は、普通循環前置基盤スロットフォーマット構造を考慮したスロットフォーマット指示子情報（または、スロットフォーマット指示子関連ＲＮＴＩがスクランブリングされたＣＲＣ）を含んだ制御情報受信を行わないことを期待する。または、端末は、端末共通または端末特定の上位シグナリングによって循環前置関連設定情報を受けない場合、該端末は、拡張循環前置基盤スロットフォーマット構造を考慮したスロットフォーマット指示子情報（または、スロットフォーマット指示子関連ＲＮＴＩがスクランブリングされたＣＲＣ）を含んだ制御情報受信を期待する。
【０１１２】
図４は、一実施形態による、端末のスロットフォーマット指示子情報受信基盤の制御情報及びデータ情報を送受信する方法を示したフローチャートである。
【０１１３】
端末は、スロットフォーマット構成情報を規格に定義された値によるか、あるいはさまざまなスロットフォーマット構成情報が存在する場合、そのうち一つが、端末共通または端末特定の上位シグナリングとしても設定される（４００）。端末は、端末特定または端末共通の上位シグナリングでもって、スロットフォーマット構成情報が含まれたスロットフォーマット指示子が伝送される端末共通下向き制御情報領域を設定されることができる。また、端末共通下向き制御情報領域において、スロットフォーマット指示子が伝送される周期も設定されうる。また、端末共通下向き制御情報領域において、スロットフォーマット指示子が含む情報の類型（いわば、搬送波集合を考慮した搬送波別に、スロットフォーマット情報の有無、または搬送波指示情報を含むか否かということ）、及びスロットフォーマット指示子情報が含まれた端末共通下向き制御情報の大きさが、端末特定または端末共通の上位シグナリングでもっても設定される。
【０１１４】
スロットフォーマット指示子情報の構成としては、次のようにも設計される。
−スロットフォーマット指示子類型１＝｛一搬送波に係わるスロットフォーマット構成情報｝
−スロットフォーマット指示子類型２＝｛搬送波指示子情報＋スロットフォーマット構成情報｝
−スロットフォーマット指示子類型３＝｛搬送波ａに係わるスロットフォーマット構成情報＋搬送波ｂに係わるスロットフォーマット構成情報＋…＋搬送波ｘに係わるスロットフォーマット構成情報｝
【０１１５】
端末は、設定されたスロットフォーマット指示子設定情報により、スロットフォーマット指示子情報を探索し、スロットフォーマット構成情報を確認する（４０２）。そして、確認されたスロットフォーマット構成情報により、データ送受信を行う（４０４）。または、チャネル測定、基準信号送信またはチャネル測定報告のような関連動作を行うこともできる（４０４）。図３で敍述されたスロットフォーマット情報が活用される状況において、スロットフォーマット指示子情報が、２個以上のスロット周期別に伝送される場合、２個以上のスロット情報を知らせる方法は、次の通りである。
１）指示されたスロットフォーマットがスロット周期別に反復する方法
２）スロットフォーマット指示子情報に、スロット別に、スロットフォーマット指示子情報を含む方法
３）ｎ個のスロットフォーマット指示子情報がｋ個のスロットに適用する方法
【０１１６】
方法１）は、設定された多数スロットについて、同一スロットフォーマットが適用される方法である。方法２）は、スロット別に互いに異なるスロットフォーマットを適用する方法である。それを支援するためのスロットフォーマット指示子類型は、次のようにも定義される。
−スロットフォーマット指示子類型４＝｛スロット１に係わるスロットフォーマット構成情報、スロット２に係わるスロットフォーマット構成情報、…、スロットｋに係わるスロットフォーマット構成情報｝
【０１１７】
方法３）は、指示するスロットが多い場合（いわば、２０個のスロット）には、スロットフォーマット指示子の大きさが増大する可能性が存在するために、変形された方法のスロットフォーマット指示子類型を意味する。ここで、ｎは、ｋより小さいが、あるいはそれと同じでもある。それに係わるスロットフォーマット指示子類型は、次のようにも定義される。
−スロットフォーマット指示子類型５＝｛スロットフォーマット指示子情報１、…、スロットフォーマット指示子情報ｎ｝
【０１１８】
スロットフォーマット指示子類型５によるスロットｋに適用されるスロットフォーマット指示子は、スロットフォーマット指示子情報ｉであり、ｉは、ｍｏｄ（ｋ／ｎ）値である。
【０１１９】
図５は、一実施形態による、端末の循環前置情報によるスロットフォーマット指示子受信方法を図示するフローチャートである。
端末は、初期接続後、周波数帯域区間（ＢＷＰ：bandwidth part）設定時、当該周波数帯域区間の物理資源ブロック（ＰＲＢ：physical resource block）の開始地点、当該周波数帯域区間の長さ、当該周波数帯域の副搬送波間隔、当該周波数帯域の循環前置情報などを、端末共通または端末特定の上位シグナリングを介しても設定される。周波数帯域区間は、上向きリンクまたは下向きリンクのいずれもが該当する。または、周波数帯域区間設定なしに、別途に初期接続された周波数帯域区間（または、システム帯域区間）に係わる循環前置情報を、端末共通または端末特定の上位シグナリングを介しても設定される。そのような端末は、設定された下向きリンクまたは上向きリンクの帯域幅区間の循環前置が、普通循環前置であるか、または拡張循環前置であるかということを判断することができる（５００）。
【０１２０】
端末は、図４で敍述したように設定された帯域幅区間において、特定スロット周期ごとに設定された端末グループ共通制御領域において、スロットフォーマット指示子情報を受信する（５０２）。端末は、受信されたスロットフォーマット指示子情報解釈を、循環前置情報を基準に判断する（５０４）。循環前置情報が普通循環前置である場合、端末は、受信されたスロットフォーマット指示子が、普通循環前置基盤スロットフォーマットを基に伝送されることを確認し、それにより、スロット構成情報を解釈する（５０６）。循環前置情報が拡張循環前置である場合、端末は、受信されたスロットフォーマット指示子が拡張循環前置基盤スロットフォーマットを基に伝送されることを確認し、それにより、スロット構成情報を解釈する（５０８）。
【０１２１】
図６は、一実施形態による、下向き制御情報、及び上向きまたは下向きのデータ情報資源割り当てを示す図面である。
基地局は、下向きデータまたは上向きデータの資源情報をスケジューリングするために、関連情報を含んだＲＮＴＩ（例えば、Ｃ−ＲＮＴＩ）とスクランブリングされたＣＲＣが含まれた下向き制御情報を、端末共通または端末特定の制御チャネル６０４を介して、端末に伝送することができる。端末は、設定された端末共通または端末特定の制御チャネル６０４において、下向き制御情報検出のためのブラインド復号を行って検出される場合、自体の上向きリンクデータ資源または下向きリンクデータ資源が、どの資源に割り当てられたかということを、下向き制御情報を介して把握することができる。図６においては、端末の上向きリンク物理データ資源または下向きリンク物理データ資源６０６が端末に割り当てられた状況を示す。端末は、下向き制御情報において、どの周波数資源、どの時間資源に自体がスケジューリングされた上向きリンク物理データ資源または下向きリンク物理データ資源６０６があるかということは、下向き制御情報チャネル６０４で検出された下向き制御情報を介して判断することができる。下向き制御情報には、次のような情報が含まれもする。
【０１２２】
●搬送波指示子
●周波数帯域区間指示子
●上向きリンクデータまたは下向きリンクデータが割り当てられた周波数区間
−分散方式（ビットマップ方式）、集合方式（開始地点及び長さ指示方式）
●上向きリンクデータまたは下向きリンクデータが割り当てられた時間区間
−開始地点及び長さ指示方式（または、開始地点及び終了地点）
●予約資源集合指示子
●バンドリングサイズ指示子
●ＭＣＳ、ＮＤＩ、ＲＶ、ＨＡＲＱプロセス番号、ＤＡＩ
●コードブロックグループ指示子、コードブロックグループ捨ていかん指示子
●ＨＡＲＱタイミング指示子
【０１２３】
そのような情報中に、上向きリンクデータまたは下向きリンクデータが割り当てられた時間区間は、図６において、データ伝送開始シンボル６１０及びデータ伝送区間長６１２、またはデータ伝送開始シンボル６１０及びデータ伝送終了シンボル６１４を示す。図６は、普通循環前置が適用された状況において、１スロットが１４個のシンボルによって構成された状況を仮定する。そのような状況において、一例として、端末に割り当てられた下向きリンクデータ、または下向きリンクデータが割り当てられた時間区間の情報として、データ伝送開始シンボルは、５番目シンボルによって指示され、データ伝送区間長は、８個のシンボルによっても指示される。または、端末に割り当てられた下向きリンクデータ、または下向きリンクデータが割り当てられた時間区間の情報として、データ伝送開始シンボルは、５番目シンボルによって指示され、データ伝送終了シンボルは、１２番目シンボルによっても指示される。
【０１２４】
上向きリンクデータまたは下向きリンクデータに係わる時間資源割り当てのために、下向き制御情報には、次の［表１６］のように、上位シグナリングに設定されたクロススロット区間数、データ伝送区間の開始シンボルシンボル長及びデータ資源マッピング構造が含まれもする。
【０１２５】
【表１６】
2021507592.tif 000019
【０１２６】
［表１６］において、Ｋ０の意味は、下向きデータスケジューリング時、スケジューリングを指示する下向き制御情報が伝達されたスロット番号と、下向き制御情報によってスケジューリングされた下向きデータが伝達されるスロット番号との差値を意味する。一例として、Ｋ０は、２個または３個のビットによっても構成される。［表１６］において、Ｋ２の意味は、上向きデータスケジューリング時、スケジューリングを指示する下向き制御情報が伝達されたスロット番号と、下向き制御情報によってスケジューリングされた上向きデータが伝送されるスロット番号との差値を意味する。一例として、Ｋ２が１である場合、下向き制御情報が伝送されたスロット、すぐ次のスロットにおいて、下向き制御情報によってスケジューリングされた上向きデータ情報が伝送されることを意味する。一例として、Ｋ０は、２個または３個のビットによっても構成される。
【０１２７】
［表１６］において、データ資源マッピング構造は、上向きデータまたは下向きデータの復号のために必要なＤＭＲＳ（demodulation reference signal）の位置が、データ資源が割り当てられた時間資源領域において、最初シンボルに位置しているか、あるいは普通循環前置（または、拡張循環前置）基盤スロット基準で、３番目または４番目のシンボルに位置しているかということ知らせる用途にも活用される。一例として、データ資源マッピング構造は、１個または２個のビットによっても構成される。
【０１２８】
［表１６］において、時間資源割り当てフォーマットの種類は、２の指数値単位でも設定され、一例として、１６個の値が、上位シグナリングによっても設定される。そして、下向きリンク制御情報を介して設定された時間資源割り当てフォーマットのさまざまな番号のうち一つを指示し、端末に伝達することが可能である。端末は、特定時間資源割り当てフォーマット番号を下向きリンク制御情報を介して指示されることが可能でここに該当するＫ０値（または、Ｋ２）値、ＳＬＩＶ値、そしてデータ資源マッピング構造形態が分かることができる。
【０１２９】
［表１６］において、データ伝送開始シンボル及び伝送区間シンボル長（ＳＬＩＶ：symbol starting and length indicator value）を意味する。一例として、ＳＬＩＶは、６個または７個のビットによっても構成される。ＳＬＩＶ値を計算するために、次の数式１が使用されもする。数式１におけるＬの意味は、上向きデータ資源または下向きデータ資源が割り当てられた時間資源領域のシンボル長を意味し、Ｓの意味は、上向きデータ資源または下向きデータ資源が割り当てられた時間資源領域の開始シンボル値を意味する。参照として、ＳＬＩＶ値は、下向きリンクデータ物理資源または上向きリンクデータ物理資源が割り当てられた時間区間情報を知らせる用途にも活用される。
［数１］
if (L - 1) ≦ K1 then 
SLIV = K2 x (L - 1) + S
else 
SLIV = 14 x (K2 - L + 1) + (K2 - 1 - S)
where 0 < L ≦ 14 - S
【０１３０】
数式１を介して、データ伝送開始シンボルと伝送区間シンボル長とを別途に知らせるのではなく、ＳＬＩＶ値自体を介して、Ｓ値とＬ値とを端末が導き出すことが可能であり、該端末は、それを介して、下向きリンクまたは上向きリンクのデータ時間資源割り当て情報を受信することができる。
【０１３１】
数式１は、１つのスロットが１４個のＯＦＤＭシンボルによって構成された普通循環前置基盤スロット構造で適用された数式でもある。端末が、拡張循環前置基盤スロット構造が、端末共通または端末特定の上位シグナリングによって設定される場合、該端末は、次の数式２−１または数式２−２、あるいは数式２−３、数式２−４または数式２−５を適用し、ＳＬＩＶ値を判断することができる。
［数２−１］
if (L - 1) ≦ 6 then 
SLIV = 12 x (L - 1) + S
else 
SLIV = 12 x (12 - L + 1) + (12 - 1 - S)
where 0 < L ≦ 12-S
［数２−２］
if (L - 1) ≦ 7 then 
SLIV = 12 x (L - 1) + S
else 
SLIV = 12 x (12 - L + 1) + (12 - 1 - S)
where 0 < L ≦ 12 - S
［数２−３］
if (L - 1) ≦ 7 then
SLIV = 12 x (L - 1) + S
else
SLIV = 12 x (14 - L + 1) + (14 - 1 - S)
where 0 < L ≦ 12 - S
［数２−４］
if (L - 1) ≦ 7 then
SLIV = 14 x (L - 1) + S
else
SLIV = 14 x (14 - L + 1) + (12 - 1 - S)
where 0 < L ≦ 12 - S
［数２−５］
if (L - 1) ≦ 7 then
SLIV = 14 x (L - 1) + S
else
SLIV = 14 x (14 - L + 1) + (14 - 1 - S)
where 0 < L ≦ 12 - S
【０１３２】
端末は、端末共通または端末特定の上位シグナリングによって普通循環前置が設定される場合、数式１基盤で、ＳＬＩＶ値が導き出されることを期待することができる。または、端末は、端末共通または端末特定の上位シグナリングによって拡張循環前置を設定されない場合、数式１基盤で、ＳＬＩＶ値が導き出されることを期待することができる。または、端末は、端末共通または端末特定の上位シグナリングによって拡張循環前置が設定される場合、数式２−１または数式２−２、あるいは数式２−３、数式２−４または数式２−５基盤で、ＳＬＩＶ値が導き出されることを期待することができる。
［数３−１］
if (L - 1) ≦ K1 then
SLIV = K2 x (L - 1) + S
else
SLIV = 14 x (K2 - L + 1) + (K2 - 1 - S)
where 0 < L ≦ K2 - S
【０１３３】
数式３−１において、Ｋ１とＫ２との値は、端末が設定された循環前置によって異なるようにも決定される。一例として、端末は、端末共通または端末特定の上位シグナリングによって普通循環前置が設定される場合、数式３−１において、{K1=7, K2=14}値が適用されたＳＬＩＶ値として導き出されることを期待することができる。または、端末は、端末共通または端末特定の上位シグナリングによって拡張循環前置を設定されない場合、数式３−１において、{K1=7, K2=14}値が適用されたＳＬＩＶ値として導き出されることを期待することができる。または、端末は、端末共通または端末特定の上位シグナリングによって拡張循環前置が設定される場合、数式３−１において、{K1=6, K2=12}値が適用されたＳＬＩＶ値として導き出されることを期待することができる。
［数３−２］
if (L - 1) ≦ 7 then
SLIV = 14 x (L - 1) + S
else
SLIV = 14 x (14 - L + 1) + (K3 - 1 - S)
where 0 < L ≦ K3 - S
【０１３４】
または、数式３−２において、Ｋ３の値は、端末が設定された循環前置によって異なるようにも決定される。一例として、端末は、端末共通または端末特定の上位シグナリングによって普通循環前置が設定される場合、数式３−２において、{K3=14}値が適用されたＳＬＩＶ値として導き出されることを期待することができる。または、端末は、端末共通または端末特定の上位シグナリングによって拡張循環前置を設定されない場合、数式３−２において、{K3=14}値が適用されたＳＬＩＶ値として導き出されることを期待することができる。または、端末は、端末共通または端末特定の上位シグナリングによって拡張循環前置が設定される場合、数式３−２において、{K3=12}値が適用されたＳＬＩＶ値として導き出されることを期待することができる。
［数３−３］
if (L - 1) ≦ 7 then
SLIV = 14 x (L - 1) + S
else
SLIV = 14 x (14 - L + 1) + (14 - 1 - S)
where 0 < L ≦ K4 - S
【０１３５】
または、数式３−３において、Ｋ４の値は、端末が設定された循環前置によって異なるようにも決定される。一例として、端末は、端末共通または端末特定の上位シグナリングによって普通循環前置が設定される場合、数式３−３において、{K4=14}値が適用されたＳＬＩＶ値として導き出されることを期待することができる。または、端末は、端末共通または端末特定の上位シグナリングによって拡張循環前置を設定されない場合、数式３−３において、{K4=14}値が適用されたＳＬＩＶ値として導き出されることを期待することができる。または、端末は、端末共通または端末特定の上位シグナリングによって拡張循環前置が設定される場合、数式３−３において、{K4=12}値が適用されたＳＬＩＶ値として導き出されることを期待することができる。
【０１３６】
他の一例としては、端末は、端末共通または端末特定の上位シグナリングにより、普通循環前置または拡張循環前置が設定されることと係わりなく、数式１を使用することができる。そのような状況において端末は、端末共通または端末特定の上位シグナリングによって拡張循環前置が設定される場合、数式１で導き出されたＳＬＩＶ値のうち、スロット境界を超えてスケジューリングされた上向きリンクデータまたは下向きリンクデータの伝送区間は、スケジューリングされることを端末が期待しないのである。例えば、ＳＬＩＶ値を介して、下向きリンクデータ伝送区間開始シンボルが１０番目であり、下向きリンクデータ伝送区間長は、３シンボルである場合、普通循環前置基盤スロット構造においては、１４個のＯＦＤＭシンボルを有するために、１スロットにおいて、下向きリンクデータ資源割り当てが可能であるが、拡張循環前置基盤スロット構造においては、１２個のＯＦＤＭシンボルを有するために、下向きリンクデータ伝送区間は、１スロット内において、下向きリンクデータ資源割り当てが可能なのではなく、次のスロットのうち一部シンボルまで下向きリンクデータ資源割り当てが発生することになる。従って、端末は、そのような状況を発生させるＳＬＩＶ値を受信することを期待しない。
【０１３７】
さらに他の一例として、Ｓの値が０〜１３の値を有し、Ｌは、１〜１４の値を有する場合、普通循環前置基盤状況において、可能なＳＬＩＶ値は、０〜１０４にも該当する。端末は、拡張循環前置基盤設定を受ける場合、可能なＳＬＩＶのうち、次の値（候補１または候補２）を除いたものを上向きリンクまたは下向きリンクのデータ伝送区間指示を受けることを期待することができる。
【０１３８】
［候補１］
１２、１３、２５、２６、２７、３８、３９、４０、４１、５１、５２、５３、５４、６４、６５、６６、６７、７７、７８、７９、８０、９０、９１、９２、９３、１０３、１０４
［候補２］
１２、１３、２５、２６、２７、３８、３９、４０、４１、５１、５２、５４、５５、６４、６５、６８、６９、７７、７８、８２、８３、９０、９１、９６、９７、１０３、１０４
【０１３９】
端末は、端末共通または端末特定の上位シグナリングにより、拡張循環前置または普通循環前置が設定される状況は、下向きリンクまたは上向きリンクのための周波数帯域区間設定情報受信時、当該情報が共に含まれて端末が受信するか、あるいは別途の他のシグナリングによっても設定される。
【０１４０】
さらに他の一例として、端末は、端末共通または端末特定の上位シグナリングにより、下向きリンク及び上向きリンク別に、それぞれ循環前置情報が拡張循環前置であるか、あるいは普通循環前置であるかということについても設定される。または、端末は、端末共通または端末特定の上位シグナリングにより、下向きリンク及び上向きリンクで同時に、循環前置情報が拡張循環前置であるか、あるいは普通循環前置であるかということについても設定される。
【０１４１】
さらに他の一例として、端末は、周波数帯域区間設定時、上向きリンクまたは下向きリンクのための周波数帯域区間設定に必要なパラメータのうち１つである循環前置情報を、周波数帯域区間設定と共に、共に設定することにより、当該周波数帯域区間が、普通循環前置と拡張循環前置とのうちいずれの循環前置情報に設定されるかということに係わる把握を期待することができる。
図７は、一実施形態による、循環前置情報基盤端末の下向きリンクまたは上向きリンクのデータ時間資源領域解釈方法を図示するフローチャートである。
【０１４２】
端末は、事前に、端末共通または端末特定の上位シグナリングにより、循環前置関連情報を受信する（７００）。端末は、また事前に設定された端末共通または端末特定下向き制御チャネルを介して、下向き制御情報を受信する（７０２）。端末は、下向き制御情報に含まれた上向きリンクデータまたは下向きリンクデータが割り当てられた資源領域のうち時間資源領域に対する解釈方法を判断する（７０４）。
【０１４３】
もし事前に端末共通または端末特定の上位シグナリングに設定された循環前置関連情報が普通循環前置である場合（または、事前に端末共通または端末特定の上位シグナリングにより、循環前置関連情報を設定されない場合）、端末は、Ａ類型のデータ時間資源情報を解釈する（７０６）。Ａ類型のデータ時間資源情報解釈方法は、数式１、あるいは数式３−１、数式３−２または数式３−３のうち一つを考慮することができる。
【０１４４】
もし事前に端末共通または端末特定の上位シグナリングに設定された循環前置関連情報が拡張循環前置である場合、端末は、Ｂ類型のデータ時間資源情報を解釈する（７０８）。Ｂ類型のデータ時間資源情報解釈方法は、数式２−１、数式２−２、数式２−３、数式２−４または数式２−５、あるいは数式３−１、数式３−２または数式３−３のうち一つを考慮することができる。
【０１４５】
図８は、一実施形態による、他の副搬送波間隔設定によるスロットフォーマット指示子適用方法を示した図面である。
５ＧシステムまたはＮＲシステムは、１５ｋＨｚ、３０ｋＨｚ、６０ｋＨｚなどの多様な副搬送波間隔を有する上向きまたは下向きの物理チャネルを提供することができる。端末は、周波数帯域区間設定時、多様な副搬送波間隔を共に設定されるか、あるいはそれと別途に独立しても設定される。または、端末は、副搬送波間隔情報を、周波数帯域区間設定情報以外の他の端末共通または端末特定の上位シグナリング情報に含まれても共に設定される。上位シグナリングによって設定された副搬送波間隔について、端末は、スロットフォーマット指示子解釈を異にすることができる。
【０１４６】
図８は、一実施形態による、普通循環前置状況において、多様な副搬送波間隔による１ｍｓ長を有するサブフレームごとにマッピングされるＯＦＤＭシンボル構造を示した図面である。
【０１４７】
図８において、参照番号８００は、１５ｋＨｚ副搬送波間隔における、スロット当たりＯＦＤＭシンボルマッピング構造を示す。スロット長は、ＬＴＥシステムを基準に、サブフレーム単位である１ｍｓであり、１５ｋＨｚのスロットと同じ長さを有する。そして、１ｍｓ長を有するスロット内に、総１４個のＯＦＤＭシンボルが存在する。参照番号８０２は、３０ｋＨｚ副搬送波間隔において、スロット当たりＯＦＤＭシンボルマッピングを示す。１ｍｓ長を有するサブフレーム基準で、総０．５ｍｓ長を有する２個のスロットが存在し、１つのスロット当たり１４個のシンボルが存在する。従って、１ｍｓ長を有するサブフレーム基準において、総２８個のＯＦＤＭシンボルが存在する。参照番号８０４は、６０ｋＨｚ副搬送波間隔において、スロット当たりＯＦＤＭシンボルマッピングを示す。１ｍｓ長を有するサブフレーム基準で、総０．２５ｍｓ長を有する４個のスロットが存在し、１つのスロット当たり１４個のシンボルが存在する。従って、１ｍｓ長を有するサブフレーム基準において、総５６個のＯＦＤＭシンボルが存在する。
【０１４８】
もしスロットフォーマット指示子情報が１５ｋＨｚを基に構成される場合、３０ｋＨｚまたは６０ｋＨｚに設定された端末は、スロットフォーマット指示子情報に対する解釈を異ならせなければならない。それを支援するための方法としては、時間観点で、１５ｋＨｚ基準ＯＦＤＭシンボル１と対応する３０ｋＨｚ基準ＯＦＤＭシンボル１Ａ及びシンボル１Ｂは、互いに同じリンク（上向きリンクまたは下向きリンク）を有することができる。そのようにする目的としては、基地局が運用する周波数帯域がＴＤＤで動作する場合、特定時間において、前周波数帯域のリンクが下向きリンクまたは上向きリンクにだけ運用されなければならない状況が発生することもあるからである。
【０１４９】
そのような方法によれば、１５ｋＨｚに設定された端末は、スロットフォーマット指示子が示す特定インデックスに属した１４個のフィールド（field）を、時間観点で順次にマッピングすることが可能であろう。例えば、表４のフォーマット２４値が、スロットフォーマット指示子として適用される場合、１５ｋＨｚに設定された端末は、スロットフォーマット指示子が指示するスロット別に、スロット内に存在する総１４個のシンボルについて、１〜３番目シンボルは、下向きリンク、４〜１２番目シンボルは、柔軟なリンク（アンノウンリンク（unknownlink）；下向きリンクでもなく、上向きリンクでもないリンク）、１３〜１４番目シンボルは、上向きリンクに設定されると判断する。
【０１５０】
３０ｋＨｚに設定された端末は、スロットフォーマット指示子が示す特定インデックスに属した１４個のフィールドについて、２個の連続したシンボルが、１つのフィールドに該当するようにマッピングされることを仮定して判断することが可能であろう。例えば、表４のフォーマット２４値が、スロットフォーマット指示子として適用される場合、３０ｋＨｚに設定された端末は、スロットフォーマット指示子が指示するスロット別に、２個の連続したスロット内に存在する総２８個のシンボルについて、リンクとして適用されると判断することができる。すなわち、最初スロットの１〜６番目シンボルは、下向きリンク、最初スロットの７〜１４番目シンボルは、柔軟なリンク、２番目スロットの１〜１０番目シンボルは、柔軟なリンク、１１〜１４番目シンボルは、上向きリンクに設定されると判断することができる。整理すれば、スロットフォーマット指示子が１５ｋＨｚ基準に設定される場合、３０ｋＨｚに設定された端末は、当該スロットフォーマット指示子が、２個のスロットにわたってマッピングされると判断することができる。他の一例としては、１５ｋＨｚ基盤スロットフォーマット指示子情報を１５＊２ｎｋＨｚ端末が受信する場合、２ｎ個のスロットにわたり、スロットフォーマット指示子が反復して伝送されると判断することができる。さらに他の一例としては、１５ｋＨｚ基盤スロットフォーマット指示子情報を、１５＊２ｎｋＨｚ端末が受信する場合、２ｎ個のスロットにわたり、スロットフォーマット指示子情報の１フィールドが、連続して２ｎ個のシンボルにマッピングされることを判断することができる。
【０１５１】
図８の８００が、１５ｋＨｚ基盤スロットフォーマット指示子情報を意味する場合、８００の１〜１４は、それぞれスロットフォーマット指示子が指示することができる表（例えば、表１４）において、それぞれシンボル番号（または、インデックス）０〜１３（または、１〜１４）と一致する。１５ｋＨｚに設定された端末は、スロットフォーマット指示子設定を受ける場合、１つのスロットにおいて、各シンボル別に、スロットフォーマット指示子において指示するリンク情報がマッピングされると解釈することができる。１５＊２ｎｋＨｚに設定された端末は、スロットフォーマット指示子設定を受ける場合、連続した２ｎ個のスロットにおいて、それぞれ連続した２ｎ個のシンボル別に、スロットフォーマット指示子において指示するリンク情報が、同一にマッピングされると解釈することができる。参照番号８０２は、３０ｋＨｚに設定された端末に係わるスロットフォーマット指示子が適用される方法を図示する図面である。８０２において、シンボル１Ａ，１Ｂは、８００において、シンボル１と同一リンク情報を有することができる。例えば、８００において、シンボル１が下向きリンクであるならば、８０２において、シンボル１Ａ，１Ｂは、いずれも下向きリンクである。それを一般化すれば、シンボルｋＡ，ｋＢは、８００において、シンボルｋと同一リンク情報を有することができる。ここにおいて、ｋは、１〜１４のうち１つの値を有する。８０２において、最初スロットを構成するシンボルインデックスｋＡ，ｋＢは、ｋ値が１〜７の値を有することができ（すなわち、１Ａ、１Ｂ、２Ａ、２Ｂ、３Ａ、３Ｂ、４Ａ、４Ｂ、５Ａ、５Ｂ、６Ａ、６Ｂ、７Ａ、７Ｂ）、２番目スロットを構成するシンボルインデックスｋＡ，ｋＢは、ｋ値が８〜１４の値を有することができる（すなわち、８Ａ、８Ｂ、９Ａ、９Ｂ、１０Ａ、１０Ｂ、１１Ａ、１１Ｂ、１２Ａ、１２Ｂ、１３Ａ、１３Ｂ、１４Ａ、１４Ｂ）。他の一例としては、８０２において、時間領域と関係なく、論理的な観点において、最初スロットを構成するシンボルインデックスｋＡは、ｋ値が１〜１４（すなわち、１Ａ、２Ａ、３Ａ、４Ａ、５Ａ、６Ａ、７Ａ、８Ａ、９Ａ、１０Ａ、１１Ａ、１２Ａ、１３Ａ、１４Ａ）であり、２番目スロットを構成するシンボルインデックスｋＢは、ｋ値が１〜１４を有することができる（すなわち、１Ｂ、２Ｂ、３Ｂ、４Ｂ、５Ｂ、６Ｂ、７Ｂ、８Ｂ、９Ｂ、１０Ｂ、１１Ｂ、１２Ｂ、１３Ｂ、１４Ｂ）。そのような場合は、８０２において、各フィールドは、時間に属するものではないことに留意する。
【０１５２】
参照番号８０４は、６０ｋＨｚに設定された端末に係わるスロットフォーマット指示子が適用される方法を図示する図面である。８０４において、シンボル１ａ，１ｂ，１ｃ，１ｄは、８００において、シンボル１と同一リンク情報を有することができる。例えば、８００において、シンボル１が下向きリンクであるならば、８０２において、シンボル１ａ，１ｂ，１ｃ，１ｄは、いずれも下向きリンクである。それを一般化すれば、シンボルｋａ，ｋｂ，ｋｃ，ｋｄは、８００において、シンボルｋと同一リンク情報を有することができる。ここで、ｋは、１〜１４のうち１つの値を有する。８０４において、最初スロットを構成するシンボルインデックスは、１ａ、１ｂ、１ｃ、１ｄ、２ａ、２ｂ、２ｃ、２ｄ、３ａ、３ｂ、３ｃ、３ｄ、４ａ、４ｂである。８０４において、２番目スロットを構成するシンボルインデックスは４ｃ、４ｄ、５ａ、５ｂ、５ｃ、５ｄ、６ａ、６ｂ、６ｃ、６ｄ、７ａ、７ｂ、７ｃ、７ｄである。８０４において、３番目スロットを構成するシンボルインデックスは、８ａ、８ｂ、８ｃ、８ｄ、９ａ、９ｂ、９ｃ、９ｄ、１０ａ、１０ｂ、１０ｃ、１０ｄ、１１ａ、１１ｂである。８０４において、４番目スロットを構成するシンボルインデックスは、１１ｃ、１１ｄ、１２ａ、１２ｂ、１２ｃ、１２ｄ、１３ａ、１３ｂ、１３ｃ、１３ｄ、１４ａ、１４ｂ、１４ｃ、１４ｄである。他の一例としては、８０４において、時間領域に属さず、最初スロットを構成するシンボルインデックスｋａは、ｋ値が１〜１４（すなわち、１ａ、２ａ、３ａ、４ａ、５ａ、６ａ、７ａ、８ａ、９ａ、１０ａ、１１ａ、１２ａ、１３ａ、１４ａ）であり、２番目スロットを構成するシンボルインデックスｋｂは、ｋ値が１〜１４（すなわち、１ｂ、２ｂ、３ｂ、４ｂ、５ｂ、６ｂ、７ｂ、８ｂ、９ｂ、１０ｂ、１１ｂ、１２ｂ、１３ｂ、１４ｂ）であり、３番目スロットを構成するシンボルインデックスｋｃは、ｋ値が１〜１４（すなわち、１ｃ、２ｃ、３ｃ、４ｃ、５ｃ、６ｃ、７ｃ、８ｃ、９ｃ、１０ｃ、１１ｃ、１２ｃ、１３ｃ、１４ｃ）であり、４番目スロットを構成するシンボルインデックスｋｃは、ｋ値が１〜１４（すなわち、１ｄ、２ｄ、３ｄ、４ｄ、５ｄ、６ｄ、７ｄ、８ｄ、９ｄ、１０ｄ、１１ｄ、１２ｄ、１３ｄ、１４ｄ）にもなる。本発明においては、１５，３０，６０ｋＨｚについて敍述したが、それ以外も副搬送波間隔に設定された状況においても、十分に適用が可能である。そのような場合は、８０２において、各フィールドは、時間に属するものではないということに留意する。
【０１５３】
もし１５ｋＨｚ基盤のスロットフォーマット指示子が、ａスロット周期ごとに伝送される場合、１５ｋＨｚに設定された端末は、スロットフォーマット指示子が、ａスロット別に反復して適用されると判断することができる。そして、１５＊２ｎｋＨｚに設定された端末は、スロットフォーマット指示子が、ａ＊２ｎ別に反復して適用されると判断することができる。
【０１５４】
参照として、図８において、各副搬送波間隔別に図示したスロットとシンボルとの関係において、各スロット別に、最初のシンボル長は、同じスロット内に存在する他のシンボル長に比べ、一般的に長い長さを有するというに留意する。
【０１５５】
前述のような方式を適用すれば、次のような規則が適用されもする。１５ｋＨｚ以外の副搬送波間隔を設定された端末が、１５ｋＨｚ基盤スロットフォーマット指示子情報を受信する場合、自体のシンボルに設定されたリンク情報は、当該シンボル８０８が時間的に属する１５ｋＨｚ基盤スロットフォーマット指示子が指示する１５ｋＨｚ基盤シンボルインデックス８０６のリンク情報によるものとなるのである。すなわち、８０６のシンボルインデックス値が下向きリンクであるならば、８０８のシンボルは、下向きリンクにもなる。
【０１５６】
本開示においては、そのような規則を第１規則と命名し、８０６シンボルに設定された副搬送波間隔と、８０８シンボルに設定された副搬送波との間隔が同じであるか、あるいは異なる場合、いずれも適用が可能である。または、８０６シンボルに設定された循環前置と、８０８シンボルに設定された循環前置とが同じであるか、あるいは異なる場合、いずれも適用が可能である。
【０１５７】
図９は、一実施形態による、他の副搬送波間隔設定、及び他の循環前置によるスロットフォーマット指示子適用方法を示した図面である。
参照番号９００は、１５ｋＨｚ基盤のスロットフォーマット指示子値が設定することができるフィールド（番号またはインデックス）を図示した図面である。または、参照番号９００は、１５ｋＨｚに設定された端末が、１ｍｓ長を有するサブフレーム内で動作するスロット当たりのシンボル数及びインデックスを図示した図面である。参照番号９０２は、６０ｋＨｚと普通循環前置とを設定された端末が、１ｍｓ長を有するサブフレーム内で動作するスロット当たりのシンボル数及びインデックスを図示した図面であり、総４個のスロットが存在する。参照番号９０４は、６０ｋＨｚと拡張循環前置とを設定された端末が、１ｍｓ長を有するサブフレーム内で動作するスロット当たりのシンボル数及びインデックスを図示した図面であり、参照番号９０２と同一に、総４個のスロットが存在する。しかし、１スロット内に存在するシンボル数は、総１２個である。図８は、普通循環前置を設定された状況において、互いに異なる副搬送波間隔を設定される場合の端末のスロットフォーマット指示子情報の受信及び解釈に係わる過程を図示化して説明したとするならば、図９は、互いに異なる循環前置を設定された状況において、同じであるか、あるいは異なる副搬送波間隔を設定される場合の端末のスロットフォーマット指示子情報の受信及び解釈に係わる過程を図示化して説明する。図９の９０４である６０ｋＨｚ及び拡張循環前置を設定された端末に、図８のような方式を適用することは、困難さが存在する。なぜならば、図９の９０４である６０ｋＨｚ及び拡張循環前置を設定された端末の特定１シンボルが９０２に存在する特定１シンボルに、時間的に完全に含まれるか、あるいは完全に一致する状況がないためである。ただし、図９の９０４である６０ｋＨｚ及び拡張循環前置を設定された端末の特定１つのシンボルは、９００に存在する特定１つのシンボルに、時間的に完全に含まれるか、あるいは２以上のシンボルにわたる状況が存在する。
【０１５８】
従って、そのような場合、１５ｋＨｚ及び普通循環基盤スロットフォーマット指示子情報を、６０ｋＨｚ及び拡張循環前置を設定された端末が受信する場合、適切なスロットフォーマット指示子情報解釈が必要である。
【０１５９】
２つの側面において、スロットフォーマット指示子情報解釈をすることができる。最初の方法は、６０ｋＨｚ及び拡張循環前置を設定された端末は、６０ｋＨｚ及び普通循環前置の基盤において、スロットフォーマット指示子情報を介して、６０ｋＨｚ及び拡張循環前置に該当するスロットフォーマット構造を解釈するのである。２番目の方法は、６０ｋＨｚ及び拡張循環前置を設定された端末は、１５ｋＨｚ及び普通循環前置の基盤において、スロットフォーマット指示子情報を介して、６０ｋＨｚ及び拡張循環前置に該当するスロットフォーマット構造を解釈するのである。
【０１６０】
最初の方法によれば、９０４の６０ｋＨｚ及び拡張循環前置を設定された端末は、各シンボルに係わるリンク情報を、９０２の６０ｋＨｚ及び普通循環前置の基盤で、（再解釈された）スロットフォーマット指示子による各シンボルに係わるリンク情報から解釈するのである。一例として、９０４の１ａ’シンボルは、時間的に、９０２の１ａと１ｂとのシンボルに重なることになる。そのような場合、次のような規則を適用する。
●９０２の１ａシンボルと９０２の１ｂシンボルとが、いずれも下向きリンク
◎９０４の１ａ’シンボルは、下向きリンク
●９０２の１ａシンボルと９０２の１ｂシンボルとが、いずれも上向きリンク
◎９０４の１ａ’シンボルは、上向きリンク
●９０２の１ａシンボルと９０２の１ｂシンボルとが、いずれも柔軟なリンク
◎９０４の１ａ’シンボルは、柔軟なリンク
●９０２の１ａシンボルは、下向きリンク、９０２の１ｂシンボルは、上向きリンク
◎９０４の１ａ’シンボルは、柔軟なリンク（または、下向きリンク）
●９０２の１ａシンボルは、下向きリンク、９０２の１ｂシンボルは、柔軟なリンク
◎９０４の１ａ’シンボルは、柔軟なリンク（または、下向きリンク）
●９０２の１ａシンボルは、柔軟なリンク、９０２の１ｂシンボルは、上向きリンク
◎９０４の１ａ’シンボルは、柔軟なリンク（または、上向きリンク）
【０１６１】
端末は、前述のところのような規則を参照し、９０４の１ａ’に適用されたシンボルリンクを判断する。そのような方式は、６０ｋＨｚ及び拡張循環前置を設定された全てのシンボルにわたって適用が可能である。
【０１６２】
２番目の方法によれば、９０４の６０ｋＨｚ及び拡張循環前置を設定された端末は、各シンボルに係わるリンク情報を、９００の１５ｋＨｚ及び普通循環前置基盤スロットフォーマット指示子による各シンボルに係わるリンク情報から解釈するのである。一例として、９０４の１ａ’シンボルは、時間的に、９００の１シンボルに含まれるようになり、そのとき、１ａ’シンボルのリンクは、１シンボルに設定されたリンクによる。他の一例として、９０４の１ｄ’シンボルは、時間的に、９００の１シンボルと２シンボルとに重なることになる。そのような場合、次のような規則を適用する。
●９００の１シンボルと９００の２シンボルとが、いずれも下向きリンク
◎９０４の１ｄ’シンボルは、下向きリンク
●９００の１シンボルと９００の２シンボルとが、いずれも上向きリンク
◎９０４の１ｄ’シンボルは、上向きリンク
●９００の１シンボルと９００の２シンボルとが、いずれも柔軟なリンク
◎９０４の１ｄ’シンボルは、柔軟なリンク
●９００の１シンボルは、下向きリンク、９００の２シンボルは、上向きリンク
◎９０４の１ｄ’シンボルは、柔軟なリンク（または、下向きリンク）
●９００の１シンボルは、下向きリンク、９００の２シンボルは、柔軟なリンク
◎９０４の１ｄ’シンボルは、柔軟なリンク（または、下向きリンク）
●９００の１シンボルは、柔軟なリンク、９００の２シンボルは、上向きリンク
◎９０４の１ｄ’シンボルは、柔軟なリンク（または、上向きリンク）
【０１６３】
端末は、前述のところのような規則を参照し、９０４の１ａ及び１ｄ’に適用されたシンボルリンクを判断する。そのような方式は、６０ｋＨｚ及び拡張循環前置を設定された全てのシンボルにわたって適用が可能である。または、前述された規則を適用した６０ｋＨｚ及び拡張循環前置に基づくスロットフォーマット指示子情報が含まれた下向き制御情報を、端末が既設定の下向き物理制御チャネルを介して受信して判断することができる。
【０１６４】
端末は、特定副搬送波間隔値と拡張循環前置とを設定された場合、普通循環前置基盤に定義されたスロットフォーマット指示子情報を受信した状況において、拡張拡張前置基盤で動作する各シンボルに設定されたリンク情報を、時間的に重なる循環前置基盤の１個または２個以上のシンボル基盤に設定することが可能である。例えば、特定副搬送波間隔及び拡張循環前置に基づく特定シンボル９１０のリンク情報は、当該シンボルと時間的に重畳される、同じであるか、あるいは異なる副搬送波間隔及び普通循環前置に基づいて指示されたスロットフォーマット指示子情報において指示するシンボル９０６，９０８のリンク情報を基に、次のような規則を基に判断することができる。
●９０６シンボルと９０８シンボルとが、いずれも下向きリンク
◎９１０シンボルは、下向きリンク
●９０６シンボルと９０８シンボルとが、いずれも上向きリンク
◎９１０シンボルは、上向きリンク
●９０６シンボルと９０８シンボルとが、いずれも柔軟なリンク
◎９１０シンボルは、柔軟なリンク
●９０６シンボルは、下向きリンク、９０８シンボルは、上向きリンク
◎９１０シンボルは、柔軟なリンク（または、下向きリンク）
●９０６シンボルは、下向きリンク、９０８シンボルは、柔軟なリンク
◎９１０シンボルは、柔軟なリンク（または、下向きリンク）
●９０６シンボルは、柔軟なリンク、９０８シンボルは、上向きリンク
◎９１０シンボルは、柔軟なリンク（または、上向きリンク）
【０１６５】
本開示においては、そのような規則を第２規則と命名し、９１０シンボルに設定された副搬送波間隔と、９０６シンボル及び９０８シンボルに設定された副搬送波間隔が、同じであるか、あるいは異なる場合、いずれも適用が可能である。または、９１０シンボルに設定された循環前置と、９０６シンボル及び９０８シンボルに設定された循環前置が、同じであるか、あるいは異なる場合、いずれも適用が可能である。他の一例としては、第２規則は、次のようにも定義される。もし９０６シンボルと９０８シンボルとが同じリンクを有する場合、当該リンク設定が、９１０シンボルにそのまま適用されることを端末が期待することができる。もし９０６シンボルと９０８シンボルとが異なるリンクを有する場合、９１０シンボルは、柔軟なリンク（または、９０６シンボルと９０８シンボルとのうち、９１０シンボルと時間的にさらに長く重畳されるシンボルのリンク）が設定されると端末が期待することができる。
【０１６６】
図１０は、他の一実施形態による循環前置情報基盤端末の下向きリンクまたは上向きリンクのデータ時間資源領域解釈方法を図示するフローチャートである。
図１０を参照すれば、端末は、事前に、端末共通または端末特定の上位シグナリングにより、循環前置関連情報を受信する（１０００）。端末は、また、事前に設定された端末共通または端末特定下向き制御チャネルを介して、下向き制御情報を受信する（１００２）。端末は、下向き制御情報に含まれた上向きリンクデータまたは下向きリンクデータが割り当てられた資源領域のうち、時間資源領域に対する解釈方法を判断する（１００４）。
【０１６７】
もし事前に、端末共通または端末特定の上位シグナリングに設定された循環前置関連情報が普通循環前置である場合（または、事前に端末共通または端末特定の上位シグナリングにより、循環前置関連情報を設定されない場合）、端末は、Ｃ類型のデータ時間資源情報を解釈する（１００６）。Ｃ類型のデータ時間資源情報解釈方法は、端末は、１５ｋＨｚのように、特定副搬送波間隔を基に設定されたスロットフォーマット指示子情報を受信する、第１規則を利用し、自体が基地局から受信した副搬送波間隔を基に設定されたシンボルに係わるリンク情報を解釈する方法である。
【０１６８】
もし事前に、端末共通または端末特定の上位シグナリングに設定された循環前置関連情報が拡張循環前置である場合、端末は、Ｄ類型のデータ時間資源情報を解釈する（１００８）。Ｄ類型のデータ時間資源情報解釈方法は、端末は、１５ｋＨｚのように、特定副搬送波間隔を基に設定されたスロットフォーマット指示子情報を受信するとき、第１規則または第２規則のうち一つを利用し、自体が基地局から受信した副搬送波間隔及び拡張循環前置を基に設定されたシンボルに係わるリンク情報を解釈する方法である。一例として、端末に設定された副搬送波間隔、及び拡張循環前置基盤シンボルが、時間観点で特定副搬送波間隔を基に設定されたスロットフォーマット指示子情報のシンボルインデックスのうち一つに含まれるか、あるいは同一である場合、第１規則を適用することができる。または、端末に設定された副搬送波間隔、及び拡張循環前置基盤シンボルが、時間観点で特定副搬送波間隔を基に設定されたスロットフォーマット指示子情報のシンボルインデックスのうち２個以上にわたっている場合（または、含まれる場合）、第２規則を適用する。
【０１６９】
図１１は、一実施形態による、端末の内部構成を示すブロック図である。
図１１を参照すれば、端末は、送受信部１１１０、メモリ１１２０及びプロセッサ１１３０を含んでもよい。前述の端末の通信方法により、端末の送受信部１１１０、メモリ１１２０及びプロセッサ１１３０が動作することができる。ただし、端末の構成要素は、前述の例に限定されるものではない。例えば、端末は、前述の構成要素よりさらに多くの構成要素を含むか、あるいはさらに少ない構成要素を含んでもよい。それだけでなく、送受信部１１１０、メモリ１１２０及びプロセッサ１１３０が、１つのチップ（chip）形態にも具現される。
【０１７０】
送受信部１１１０は、基地局と信号を送受信することができる。ここで、該信号は、制御情報及びデータを含んでもよい。そのために、送受信部１１１０は、伝送される信号の周波数を、上昇変換して増幅するＲＦ送信器と、受信される信号に対し、低ノイズ増幅して周波数を下降変換するＲＦ受信器とによっても構成される。ただし、それは、送受信部１１１０の一実施形態であるのみ、送受信部１１１０の構成要素は、ＲＦ送信器及びＲＦ受信器に限定されるものではない。
【０１７１】
また、送受信部１１１０は、無線チャネルを介して信号を受信し、プロセッサ１１３０に出力し、プロセッサ１１３０から出力される信号を無線チャネルを介して伝送することができる。
【０１７２】
メモリ１１２０は、端末動作に必要なプログラム及びデータを保存することができる。また、メモリ１１２０は、端末で獲得される信号に含まれた制御情報またはデータを保存することができる。メモリ１１２０は、ＲＯＭ（read-only memory）、ＲＡＭ（random access memory）、ハードディスク、ＣＤ−ＲＯＭ（compact disc read only memory）及びＤＶＤ（digital versatile disc）のような記録媒体、または記録媒体の組み合わせによっても構成される。
【０１７３】
プロセッサ１１３０は、前述の実施形態によって端末が動作するように、一連の過程を制御することができる。一実施形態において、プロセッサ１１３０は、送受信部１１１０を介し、基地局から循環前置関連資源設定及び帯域幅区間設定信号を受信し、循環前置関連資源設定及び帯域幅区間設定信号を解釈し、送受信部１１１０を介し、循環前置関連資源設定及び帯域幅区間設定に基づく資源領域においてデータを送信するように制御することができる。
【０１７４】
図１２は、一実施形態による、基地局の構造を図示するブロック図である。
図１２を参照すれば、基地局は、送受信部１２１０、メモリ１２２０及びプロセッサ１２３０を含んでもよい。前述の基地局の通信方法により、基地局の送受信部１２１０、メモリ１２２０及びプロセッサ１２３０が動作することができる。ただし、基地局の構成要素は、前述の例に限定されるものではない。例えば、基地局は、前述の構成要素よりさらに多くの構成要素を含むか、あるいはさらに少ない構成要素を含んでもよい。それだけでなく、送受信部１２１０、メモリ１２２０及びプロセッサ１２３０が１つのチップ（chip）形態にも具現される。
【０１７５】
送受信部１２１０は、端末と信号を送受信することができる。ここで、該信号は、制御情報及びデータを含んでもよい。そのために、送受信部１２１０は、伝送される信号の周波数を、上昇変換して増幅するＲＦ送信器と、受信される信号に対し、低ノイズ増幅して周波数を下降変換するＲＦ受信器とによっても構成される。ただし、それは、送受信部１２１０の一実施形態であるのみ、送受信部１２１０の構成要素は、ＲＦ送信器及びＲＦ受信器に限定されるものではない。
【０１７６】
また、送受信部１２１０は、無線チャネルを介して信号を受信し、プロセッサ１２３０に出力し、プロセッサ１２３０から出力された信号を無線チャネルを介して伝送することができる。
【０１７７】
メモリ１２２０は、基地局の動作に必要なプログラム及びデータを保存することができる。また、メモリ１２２０は、基地局で獲得される信号に含まれた制御情報またはデータを保存することができる。メモリ１２２０は、ＲＯＭ、ＲＡＭ、ハードディスク、ＣＤ−ＲＯＭ及びＤＶＤのような記録媒体、または記録媒体の組み合わせによっても構成される。
【０１７８】
プロセッサ１２３０は、前述の本発明の実施形態によって基地局が動作するように、一連の過程を制御することができる。一実施形態において、プロセッサ１２３０は、循環前置関連設定及び帯域幅区間設定を決定し、端末に伝達される循環前置関連資源設定及び帯域幅区間設定情報を生成することができる。その後、プロセッサ１２３０は、送受信部１２１０を介し、循環前置関連資源設定及び帯域幅区間設定情報を端末に伝達し、循環前置関連資源設定及び帯域幅区間設定された資源領域に対してデータを受信するように制御することができる。その場合、前記ＤＣＩは、前記第２信号伝送タイミング情報であることを指示することができる。また、プロセッサ１２３０は、循環前置関連資源設定及び帯域幅区間設定を含む下向きリンク制御情報（ＤＣＩ：downlink control information）または上位シグナリング（例：ＲＲＣ）生成することができる。その場合、ＤＣＩまたはＲＲＣは、循環前置関連資源設定及び帯域幅区間設定の情報であるということを指示することができる。
【０１７９】
本開示の請求項または明細書に記載された実施形態による方法は、ハードウェア、ソフトウェア、またはハードウェアとソフトウェアとの組み合わせの形態によっても具現される（implemented）。
【０１８０】
ソフトウェアで具現する場合、１以上のプログラム（ソフトウェアモジュール）を保存するコンピュータ読み取り可能記録媒体が提供される。コンピュータ読み取り可能記録媒体に保存される１以上のプログラムは、電子装置（device）内の１以上のプロセッサによって実行可能になるように構成される（configured for execution）。１以上のプログラムは、電子装置にして、本開示の請求項または明細書に記載された実施形態による方法を実行させる命令語（instructions）を含む。
【０１８１】
そのようなプログラム（ソフトウェアモジュール、ソフトウェア）は、ＲＡＭ、フラッシュ（flash）メモリを含む不揮発性（non-volatile）メモリ、ＲＯＭ、電気的削除可能プログラム可能ＲＯＭ（ＥＥＰＲＯＭ：electrically erasable programmable read only memory）、磁気ディスク保存装置（magnetic disc storage device）、コンパクトディスクＲＯＭ（ＣＤ−ＲＯＭ（compact disc read only memory）、デジタル多目的ディスク（ＤＶＤ：digital versatile disc）、または他形態の光学保存装置、マグネチックカセット（magnetic cassette）にも保存される。または、それらの一部または全部の組み合わせによって構成されたメモリにも保存される。また、それぞれの構成メモリは、多数個含まれてもよい。
【０１８２】
また、プログラムは、インターネット（internet）、イントラネット（intranet）、ＬＡＮ（local area network）、ＷＬＡＮ（wide ＬＡＮ）またはＳＡＮ（storage area network）のような通信ネットワーク、またはそれらの組み合わせによって構成された通信ネットワークを介してアクセスすることができる付着可能な（attachable）保存装置にも保存される。そのような保存装置は、外部ポートを介して、本開示の実施形態を遂行する装置に接続することができる。また、通信ネットワーク上の別途の保存装置が、本開示の実施形態を遂行する装置に接続することもできる。
【０１８３】
前述の本開示の具体的な実施形態において、発明に含まれる構成要素は、提示された具体的な実施形態により、単数または複数に表現された。しかし、単数または複数の表現は、説明の便宜のために提示した状況に適して選択されたものであり、本開示は、単数または複数の構成要素に制限されるものではなく、複数に表現された構成要素であるとしても、単数にも構成されるか、あるいは単数で表現された構成要素であるとしても、複数によっても構成される。
【０１８４】
なお、本明細書と図面とに開示された本発明の実施形態は、本発明の記述内容について容易に説明し、本発明の理解の一助とするために、特定例を提示したものであるのみ、本発明の範囲を限定するものではない。すなわち、本発明の技術的思想に土台を置いた他の変形例が実施可能であるということは、本発明が属する技術分野で当業者に自明なものである。また、それぞれの実施形態は、必要によって、互いに組み合わせされて運用することができる。例えば、本発明の一実施形態と異なる一実施形態の一部分が互いに組み合わされ、基地局と端末とが運用されもする。また、本実施形態は、ＦＤＤ ＬＴＥシステムを基準に提示されたが、ＴＤＤ ＬＴＥシステム、５ＧあるいはＮＲシステムのような他のシステムにも、本実施形態の技術的思想に土台を置いた他の変形例が実施可能であろう。
【０１８５】
本明細書で説明される実施形態は、説明の目的でのみ考慮されるものであり、限定の目的で考慮されるものではないと理解されなければならない。各実施形態内の特徴または態様の説明は、一般的に、他の実施形態の他の同様の特徴または態様に利用可能であると見なされなければならない。
【０１８６】
本開示は、そのさまざまな実施形態を参照して示されて説明されてきたが、当業者には、形態および詳細のさまざまな変更が、以下のクレームとその同等物とで定義されるように、本開示の精神および範囲から外れることなしに実行されるということが理解されるである。
【符号の説明】
【０１８７】
１０２  ＯＦＤＭシンボル
１０４  サブキャリア
１０５  サブフレーム
１０６  スロット
１０８  リソースブロック（ＲＢ：ｒｅｓｏｕｒｃｅ  ｂｌｏｃｋ）
１１０  サブキャリア
１１２  リソースエレメント（ＲＥ：ｒｅｓｏｕｒｃｅ  ｅｌｅｍｅｎｔ）
１１４  ラジオフレーム
２０２  ＳＣ−ＦＤＭＡシンボル
２０４  サブキャリア
２０５  サブフレーム
２０６  スロット
２１０  サブキャリア
２１２  リソースエレメント（ＲＥ：ｒｅｓｏｕｒｃｅ  ｅｌｅｍｅｎｔ）
１１１０  送受信部
１１２０  メモリ
１１３０  プロセッサ
１２１０  送受信部
１２２０  メモリ
１２３０  プロセッサ
【図１】
2021507592.tif 000020
【図２】
2021507592.tif 000021
【図３】
2021507592.tif 000022
【図４】
2021507592.tif 000023
【図５】
2021507592.tif 000024
【図６】
2021507592.tif 000025
【図７】
2021507592.tif 000026
【図８】
2021507592.tif 000027
【図９】
2021507592.tif 000028
【図１０】
2021507592.tif 000029
【図１１】
2021507592.tif 000030
【図１２】
2021507592.tif 000031
【国際調査報告】
2021507592.tif 000032
2021507592.tif 000033